(57)【要約】【課題】２つ以上の目的地を要する利用者に対して連続的かつ効率的にそれらの目的地に関する情報を提供する。【解決手段】利用者が用いる移動体通信端末である利用者端末と前記利用者の移動の目的地となり得る目的地情報を提供する複数の目的地提供者が用いる目的地提供者端末と前記目的地に関する複数の情報を前記利用者に提供する目的地情報提供サーバとがネットワークを介して送受信可能に接続されてなり、前記目的地情報提供サーバには、通信手段と、表示情報出力手段と、利用者位置抽出手段と、目的地情報及び利用者履歴情報が蓄積されたデータベースと、目的地設定手段と、判定手段と、前記利用者履歴情報を更新する更新手段とを有してなる。【選択図】      図１
2004185234.tif 000002
【特許請求の範囲】
【請求項１】
ネットワークを介して利用者が用いる移動体通信端末である利用者端末との送受信を可能とする通信手段と、
前記利用者端末の表示画面に前記利用者の移動の目的地となり得る目的地情報に関する情報を表示させる表示情報出力手段と、
前記通信手段で得られた情報より前記利用者の現在地を特定して利用者位置情報を抽出する利用者位置抽出手段と、
少なくとも目的地に対する前記利用者の要望に基づいて複数のカテゴリに選別された前記目的地情報及び前記利用者位置抽出手段によって特定された前記利用者の経時的な所在地を示す利用者履歴情報が蓄積されたデータベースと、
前記通信手段によって前記利用者端末から送信された目的地に関する要望情報に基づき前記データベースに蓄積された目的地情報を参照して前記利用者の基点及び複数の目的地を設定し、前記利用者端末へ伝えるための目的地設定手段と、
前記利用者が基点及び／又は目的地に位置しているか否かを判定し、前記利用者が基点及び／又は目的地に位置している場合には前記目的地設定手段に新たな目的地の設定を指示する判定手段と、
係る判定手段及び前記目的地設定手段によって得られた情報に基づき、前記利用者履歴情報を更新する更新手段と
を有してなることを特徴とする目的地情報提供サーバ。
【請求項２】
ネットワークを介して利用者が用いる移動体通信端末である利用者端末及び前記利用者の移動の目的地となり得る目的地情報を提供する複数の目的地提供者が用いる目的地提供者端末との送受信を可能とする通信手段と、
前記利用者端末の表示画面に前記目的地情報に関する情報を表示させる表示情報出力手段と、
前記通信手段で得られた情報より前記利用者の現在地を特定して利用者位置情報を抽出する利用者位置抽出手段と、
少なくとも目的地に対する前記利用者の要望に基づいて複数のカテゴリに選別された前記目的地情報及び前記利用者位置抽出手段によって特定された前記利用者の経時的な所在地を示す利用者履歴情報が蓄積されたデータベースと、
前記通信手段によって前記利用者端末から送信された目的地に関する要望情報に基づき前記データベースに蓄積された目的地情報を参照して前記利用者の基点及び複数の目的地を設定し、前記利用者端末へ伝えるための目的地設定手段と、
前記利用者が基点及び／又は目的地に位置しているか否かを判定し、前記利用者が基点及び／又は目的地に位置している場合には前記目的地設定手段に新たな目的地の設定を指示する判定手段と、
係る判定手段及び前記目的地設定手段によって得られた情報に基づき、前記利用者履歴情報を更新する更新手段と
を有してなることを特徴とする目的地情報提供サーバ。
【請求項３】
前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段が設けられたことを特徴とする請求項２に記載の目的地情報提供サーバ。
【請求項４】
前記基点が前記利用者の現在地に設定されることを特徴とする請求項１から３のいずれかに記載の目的地情報提供サーバ。
【請求項５】
前記目的地設定手段は、第１の目的地を設定し、その第１の目的地と前記基点とを結ぶ経路上に位置する第２の目的地を設定する手段であることを特徴とする請求項１から４のいずれかに記載の目的地情報提供サーバ。
【請求項６】
前記利用者位置抽出手段によって得られた前記利用者の位置情報と、目的地毎に設定された許容人数とに基づいて設定された前記目的地情報を変更して利用者を振り分ける振り分け手段が設けられたことを特徴とする請求項１から５のいずれかに記載の目的地情報提供サーバ。
【請求項７】
前記利用者履歴情報に基づきインセンティヴ提供のためのポイントを集計する集計手段が設けられたことを特徴とする請求項１から６のいずれかに記載の目的地情報提供サーバ。
【請求項８】
所定の条件に基づき前記利用者端末に目的地情報を送信する割り込み手段が設けられたことを特徴とする請求項１から７のいずれかに記載の目的地情報提供サーバ。
【請求項９】
利用者が用いる移動体通信端末である利用者端末と前記利用者の移動の目的地となり得る目的地に関する複数の情報を前記利用者に提供する目的地情報提供サーバとがネットワークを介して送受信可能に接続されてなり、
前記目的地情報提供サーバには、
前記利用者端末に送受信可能とする通信手段と、
前記利用者端末の表示画面に前記目的地情報に関する情報を表示させる表示情報出力手段と、
前記通信手段で得られた情報より前記利用者の現在地を特定して利用者位置情報を抽出する利用者位置抽出手段と、
少なくとも目的地に対する前記利用者の要望に基づいて複数のカテゴリに選別された前記目的地情報及び前記利用者位置抽出手段によって特定された前記利用者の経時的な所在地を示す利用者履歴情報が蓄積されたデータベースと、
前記通信手段によって前記利用者端末から送信された目的地に関する要望情報に基づき前記データベースに蓄積された目的地情報を参照して前記利用者の基点及び複数の目的地を設定し、前記利用者端末へ伝えるための目的地設定手段と、
前記利用者が基点及び／又は目的地に位置しているか否かを判定し、前記利用者が基点及び／又は目的地に位置している場合には前記目的地設定手段に新たな目的地の設定を指示する判定手段と、
係る判定手段及び前記目的地設定手段によって得られた情報に基づき、前記利用者履歴情報を更新する更新手段と
を有してなることを特徴とする目的地情報提供システム。
【請求項１０】
前記目的地情報を提供する複数の目的地提供者が用いる目的地提供者端末が前記ネットワークに接続され、前記通信手段は前記目的地情報提供サーバとの前記目的地情報の送受信が可能とされたことを特徴とする請求項９に記載の目的地情報提供システム。
【請求項１１】
前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段が設けられたことを特徴とする請求項１０に記載の目的地情報提供システム。
【請求項１２】
前記基点が前記利用者の現在地に設定されることを特徴とする請求項９から１１のいずれかに記載の目的地情報提供システム。
【請求項１３】
前記目的地設定手段は、第１の目的地を設定し、その第１の目的地と前記基点とを結ぶ経路上に位置する第２の目的地を設定する手段であることを特徴とする請求項９から１２のいずれかに記載の目的地情報提供システム。
【請求項１４】
前記利用者位置抽出手段によって得られた前記利用者の位置情報と、目的地毎に設定された許容人数とに基づいて設定された前記目的地情報を変更して利用者を振り分ける振り分け手段が設けられたことを特徴とする請求項９から１３のいずれかに記載の目的地情報提供システム。
【請求項１５】
前記利用者履歴情報に基づきインセンティヴ提供のためのポイントを集計する集計手段が設けられたことを特徴とする請求項９から１４のいずれかに記載の目的地情報提供システム。
【請求項１６】
所定の条件に基づき前記利用者端末に目的地情報を送信する割り込み手段が設けられたことを特徴とする請求項９から１５のいずれかに記載の目的地情報提供システム。
【請求項１７】
利用者が用いる移動体通信端末である利用者端末と、前記利用者の移動の目的地となり得る目的地に関する複数の情報を前記利用者に提供する目的地情報提供サーバ及び少なくとも目的地に対する利用者の要望に基づいて複数のカテゴリに選別された前記目的地情報を蓄積したデータベースとがネットワークを介して送受信可能に接続される準備過程と、
利用者の現在地を特定する利用者位置抽出過程と、
前記目的地情報に関する情報について移動の目的となる要望を入力するようガイドする表示内容を前記利用者端末に表示させる表示情報出力過程と、
前記利用者端末から要望を受ける過程と、
前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定過程と、
前記利用者の基点及び／又は複数の目的地を前記利用者端末に送信する通信過程と、
前記利用者が基点及び／又は目的地に位置しているか否かを判定し、前記利用者が基点及び／又は目的地に位置している場合には前記目的地設定過程に進み新たな目的地の設定を指示する判定過程と、
係る判定過程、前記目的地設定過程及び前記利用者位置抽出過程によって特定された前記利用者の経時的な所在地を示す利用者履歴情報を更新する更新過程と
を有することを特徴とする目的地情報提供方法。
【請求項１８】
前記準備過程には、前記目的地情報を提供する複数の目的地提供者が用いる目的地提供者端末が、前記ネットワークに接続され、前記目的地情報提供サーバとの前記目的地情報の送受信が可能とされる過程が含まれたことを特徴とする請求項１７に記載の目的地情報提供方法。
【請求項１９】
前記目的地情報提供サーバが、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する過程が含まれたことを特徴とする請求項１８に記載の目的地情報提供方法。
【請求項２０】
前記基点が前記利用者の現在地に設定されることを特徴とする請求項１７から１９のいずれかに記載の目的地情報提供方法。
【請求項２１】
前記目的地設定過程は、第１の目的地を設定し、その第１の目的地と前記基点とを結ぶ経路上に位置する第２の目的地を設定する過程であることを特徴とする請求項１７から２０のいずれかに記載の目的地情報提供方法。
【請求項２２】
前記目的地設定過程は、第１の目的地を設定し、その第１の目的地と前記基点とを結ぶ経路上に位置する第２の目的地を設定する過程であることを特徴とする請求項１７から２１のいずれかに記載の目的地情報提供方法。
【請求項２３】
前記利用者履歴情報に基づきインセンティヴ提供のためのポイントを集計する集計過程を有することを特徴とする請求項１７から２２のいずれかに記載の目的地情報提供方法。
【請求項２４】
所定の条件に基づき前記利用者端末に目的地情報を割り込み送信する割り込み過程を有することを特徴とする請求項１７から２３のいずれかに記載の目的地情報提供方法。
【請求項２５】
複数の目的地に関する情報を利用者に提供するために、利用者が用いる移動体通信端末である利用者端末とネットワークを介して送受信可能に接続され、少なくとも目的地に対する前記利用者の要望に基づいて複数のカテゴリに選別された前記利用者の移動の目的地となり得る目的地情報を蓄積したデータベースを有する目的地情報提供サーバを、
前記利用者の現在地を特定する利用者位置抽出手段と、
前記目的地情報に関する情報について移動の目的となる要望を入力するようガイドする表示内容を前記利用者端末に表示させる表示情報出力手段と、
前記利用者の現在地及び前記利用者端末から送信された前記利用者の前記要望に関する情報に基づいて前記データベースに蓄積された前記複数のカテゴリに選別された目的地情報から利用者の基点及び／又は複数の目的地を設定する目的地設定手段と、
前記利用者の基点及び／又は複数の目的地を前記利用者端末に送信する通信手段と、
前記利用者が基点及び／又は目的地に位置しているか否かを判定し、前記利用者が基点及び／又は目的地に位置している場合には前記目的地設定手段に新たな目的地の設定を指示する判定手段と、
係る判定手段、前記目的地設定手段及び前記利用者位置抽出手段によって特定された前記利用者の経時的な所在地を示す利用者履歴情報を更新する更新手段と
して機能させることを特徴とする目的地情報提供プログラム。
【請求項２６】
複数の目的地に関する情報を利用者に提供するために、利用者が用いる移動体通信端末である利用者端末及び前記利用者の移動の目的地となり得る目的地情報を提供する複数の目的地提供者が用いる目的地提供者端末とネットワークを介して送受信可能に接続され、少なくとも目的地に対する前記利用者の要望に基づいて複数のカテゴリに選別された前記目的地情報を蓄積したデータベースを有する目的地情報提供サーバを、
前記利用者の現在地を特定する利用者位置抽出手段と、
前記目的地情報に関する情報について移動の目的となる要望を入力するようガイドする表示内容を前記利用者端末に表示させる表示情報出力手段と、
前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定手段と、
前記利用者の基点及び／又は複数の目的地を前記利用者端末に送信する通信手段と、
前記利用者が基点及び／又は目的地に位置しているか否かを判定し、前記利用者が基点及び／又は目的地に位置している場合には前記目的地設定手段に新たな目的地の設定を指示する判定手段と、
係る判定手段、前記目的地設定手段及び前記利用者位置抽出手段によって特定された前記利用者の経時的な所在地を示す利用者履歴情報を更新する更新手段と
して機能させることを特徴とする目的地情報提供プログラム。
【請求項２７】
前記目的地情報提供サーバを、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段を有して機能させることを特徴とする請求項２６に記載の目的地情報提供プログラム。
【請求項２８】
前記基点が前記利用者の現在地に設定されることを特徴とする請求項２５から２７のいずれかに記載の目的地情報提供プログラム。
【請求項２９】
前記目的地設定過程は、第１の目的地を設定し、その第１の目的地と前記基点とを結ぶ経路上に位置する第２の目的地を設定する過程であることを特徴とする２５から２８のいずれかに記載の目的地情報提供プログラム。
【請求項３０】
前記利用者位置抽出手段によって得られた前記利用者の位置情報と、目的地毎に設定された許容人数とに基づいて設定された前記目的地情報を変更して前記利用者を振り分ける振り分け過程を有することを特徴とする請求項２５から２９のいずれかに記載の目的地情報提供プログラム。
【請求項３１】
前記利用者履歴情報に基づきインセンティヴ提供のためのポイントを集計する集計過程を有することを特徴とする請求項２５から３０のいずれかに記載の目的地情報提供プログラム。
【請求項３２】
所定の条件に基づき前記利用者端末に目的地情報を割り込み送信する割り込み過程を有することを特徴とする請求項２５から３２のいずれかに記載の目的地情報提供プログラム。
【請求項３３】
複数の目的地に関する情報を利用者に提供するために、利用者が用いる移動体通信端末である利用者端末とネットワークを介して送受信可能に接続され、少なくとも目的地に対する前記利用者の要望に基づいて複数のカテゴリに選別された前記利用者の移動の目的地となり得る目的地情報を蓄積したデータベースを有する目的地情報提供サーバを、
前記利用者の現在地を特定する利用者位置抽出手段と、
前記目的地情報に関する情報について移動の目的となる要望を入力するようガイドする表示内容を前記利用者端末に表示させる表示情報出力手段と、
前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定手段と、
前記利用者の基点及び／又は複数の目的地を前記利用者端末に送信する通信手段と、
前記利用者が基点及び／又は目的地に位置しているか否かを判定し、前記利用者が基点及び／又は目的地に位置している場合には前記目的地設定手段に新たな目的地の設定を指示する判定手段と、
係る判定手段、前記目的地設定手段及び前記利用者位置抽出手段によって特定された前記利用者の経時的な所在地を示す利用者履歴情報を更新する更新手段と
して機能させることを特徴とする目的地情報提供プログラムを記録したコンピュータ読み取り可能な記録媒体。
【請求項３４】
複数の目的地に関する情報を利用者に提供するために、利用者が用いる移動体通信端末である利用者端末及び前記利用者の移動の目的地となり得る目的地情報を提供する複数の目的地提供者が用いる目的地提供者端末とネットワークを介して送受信可能に接続され、少なくとも目的地に対する前記利用者の要望に基づいて複数のカテゴリに選別された前記目的地情報を蓄積したデータベースを有する目的地情報提供サーバを、
前記利用者の現在地を特定する利用者位置抽出手段と、
前記目的地情報に関する情報について移動の目的となる要望を入力するようガイドする表示内容を前記利用者端末に表示させる表示情報出力手段と、
前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定手段と、
前記利用者の基点及び／又は複数の目的地を前記利用者端末に送信する通信手段と、
前記利用者が基点及び／又は目的地に位置しているか否かを判定し、前記利用者が基点及び／又は目的地に位置している場合には前記目的地設定手段に新たな目的地の設定を指示する判定手段と、
係る判定手段、前記目的地設定手段及び前記利用者位置抽出手段によって特定された前記利用者の経時的な所在地を示す利用者履歴情報を更新する更新手段と
して機能させることを特徴とする目的地情報提供プログラムを記録したコンピュータ読み取り可能な記録媒体。
【請求項３５】
前記目的地情報提供サーバを、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段を有して機能させることを特徴とする請求項３４に記載の目的地情報提供プログラムを記録したコンピュータ読み取り可能な記録媒体。
【請求項３６】
前記基点が前記利用者の現在地に設定されることを特徴とする請求項３３から３５のいずれかに記載の目的地情報提供プログラムを記録したコンピュータ読み取り可能な記録媒体。
【請求項３７】
前記目的地設定過程は、第１の目的地を設定し、その第１の目的地と前記基点とを結ぶ経路上に位置する第２の目的地を設定する過程であることを特徴とする請求項３３から３６のいずれかに記載の目的地情報提供プログラムを記録したコンピュータ読み取り可能な記録媒体。
【請求項３８】
前記利用者位置抽出手段によって得られた前記利用者の位置情報と、目的地毎に設定された許容人数とに基づいて設定された前記目的地情報を変更して前記利用者を振り分ける振り分け過程を有することを特徴とする請求項３３から３７のいずれかに記載の目的地情報提供プログラムを記録したコンピュータ読み取り可能な記録媒体。
【請求項３９】
前記利用者履歴情報に基づきインセンティヴ提供のためのポイントを集計する集計過程を有することを特徴とする請求項３３から３８のいずれかに記載の目的地情報提供プログラムを記録したコンピュータ読み取り可能な記録媒体。
【請求項４０】
所定の条件に基づき前記利用者端末に目的地情報を割り込み送信する割り込み過程を有することを特徴とする請求項３３から３９のいずれかに記載の目的地情報提供プログラムを記録したコンピュータ読み取り可能な記録媒体。
【発明の詳細な説明】
【０００１】
【発明の属する分野】
本発明は、インターネット等のネットワークを介して利用者が用いる移動体通信端末に複数の目的地情報を提供する目的地情報提供サーバ、それを用いた目的地情報提供システム、目的地情報提供方法及び目的地情報提供プログラム並びに目的地情報提供プログラムを記録したコンピュータ読み取り可能な記録媒体に関するものである。
【０００２】
【従来の技術】
従来より、観光協会や商店街等による集客目的のイベントとして、スタンプラリーがあり、各種のスタンプラリーが頻繁に行われている。このスタンプラリーとは、複数の中間地点にそれぞれ固有のスタンプを準備しておき、これらの中間地点を巡って、それぞれのスタンプを用紙等に印すというものである。参加者は、すべての中間地点に立ち寄って、すべてのスタンプを集めることにより主催者から景品等が与えられる。
【０００３】
このスタンプラリーは、各中間地点で、スタンプだけでなく、他の道具やスタンプを押すためのスペースや用紙が必要となり、スタンプラリーの実施には、充分な準備が必要であり、手間がかかっていた。
【０００４】
このような問題は、オリエンテーリングにも共通して生ずる問題でもあり、従来のオリエンテーリングにおいては、各中間地点（以下、チェックポイントとする。）に監視員を配置する等の手間を要していた。
【０００５】
そこで、以上のような問題を解決するべく、インターネット等のネットワーク上に送受信可能な移動体端末を用いたオリエンテーリング（スタンプラリー）の実施方法が提案されている（例えば、特許文献１参照。）。
【０００６】
この移動体端末を用いたオリエンテーリングの実施方法は、予め設定されたシナリオ（コース）上の複数のチェックポイントに利用者が到達したか否かを判定するための構成として、ＧＰＳ（Ｇｌｏｂａｌ  Ｐｏｓｉｔｉｏｎｉｎｇ  Ｓｙｓｔｅｍ）等の位置検出手段により前記利用者が用いる移動体端末の位置を特定する構成を採用している。
【０００７】
【特許文献１】
特開２００２−１３２６１０号公報（段落〔００２９〕−〔００３３〕、第１図）
【０００８】
【発明が解決しようとする課題】
しかしながら、このような位置検出手段及び移動体通信端末を用いたオリエンテーリングにおいては、出発地（基点）、チェックポイント及び終点が予め設定されており、開催される地域の規模も限定されるため、利用者の参加機会が制限されていた。
【０００９】
また、インターネット等の通信回線を介して移動体端末を用いているのにも関わらず、チェックポイントは単なる有体物であればよく、コースの設定は主催者の独断で行われているため、利用者の参加意欲を低下させていた。
【００１０】
本発明は、以上の従来技術における問題に鑑みてなされたものであり、２つ以上の目的地を要する利用者に対して連続的かつ効率的にそれらの目的地に関する情報を提供することができ、目的地を含む地域の活性化に役立てることができる目的地情報提供サーバ、それを用いた目的地情報提供システム、目的地情報提供方法及び目的地情報提供プログラム並びに目的地情報提供プログラムを記録したコンピュータ読み取り可能な記録媒体を提供することを目的とする。
【００１１】
【課題を解決するための手段】
前記課題を解決するために提供する本願第１の発明は、ネットワークを介して利用者が用いる移動体通信端末である利用者端末との送受信を可能とする通信手段と、前記利用者端末の表示画面に前記利用者の移動の目的地となり得る目的地情報に関する情報を表示させる表示情報出力手段と、前記通信手段で得られた情報より前記利用者の現在地を特定して利用者位置情報を抽出する利用者位置抽出手段と、少なくとも目的地に対する前記利用者の要望に基づいて複数のカテゴリに選別された前記目的地情報及び前記利用者位置抽出手段によって特定された前記利用者の経時的な所在地を示す利用者履歴情報が蓄積されたデータベースと、前記通信手段によって前記利用者端末から送信された目的地に関する要望情報に基づき前記データベースに蓄積された目的地情報を参照して前記利用者の基点及び複数の目的地を設定し、前記利用者端末へ伝えるための目的地設定手段と、前記利用者が基点及び／又は目的地に位置しているか否かを判定し、前記利用者が基点及び／又は目的地に位置している場合には前記目的地設定手段に新たな目的地の設定を指示する判定手段と、係る判定手段及び前記目的地設定手段によって得られた情報に基づき、前記利用者履歴情報を更新する更新手段とを有してなることを特徴とする。
【００１２】
係る構成とすることにより、移動体通信端末を用いて行うオリエンテーリングのように主催者側の意図に制限されることなく、利用者をそれぞれの要望に基づいた目的地に擬似的なオリエンテーリングといった態様で連続的かつ効率的に目的地に誘導することができる。すなわち、本願発明は、従来の移動体通信端末を用いたオリエンテーリングの要件であった「予め設定されたコース」を必要とせず、主催者側（サーバ）は、利用者それぞれが自らコースを設定するために必要な情報を利用者のニーズに基づいて利用者端末に与えるといった構成をなすものである。
【００１３】
また、ここでいう利用者は２つ以上の目的地を要していればよく、従来のオリエンテーリングとは異なり利用者の意思によって終点を自由に設定することができるので、利用者の参加意識を高め、前述の擬似的なオリエンテーリングにチェックポイントとなり得る飲食店や販売店等への利用が多くなり、結果としてそれらが所在する地域の活性化に役立てることができる。
【００１４】
さらに、このように移動体通信端末を用いて利用者が目的とする地点の情報を提供する従来技術としては他に、要望する目的地に関する情報（所在地等）を検索キーとして利用者がインターネット等に接続可能な端末を用いて提供するサーバに送信し、そのサーバが前記目的地の詳細な情報を提供するシステムがあるが、このような移動体端末を用いた目的地情報の提供を行う構成においては、目的地が２つ以上あった場合に、利用者がその都度検索しなければならないという問題があった。本願発明は２つ以上の目的地を連続的に設定することを前提としているため、そのような利用者側の操作上の負担を軽減することができる。
【００１５】
前記課題を解決するために提供する本願第２の発明は、ネットワークを介して利用者が用いる移動体通信端末である利用者端末及び前記利用者の移動の目的地となり得る目的地情報を提供する複数の目的地提供者が用いる目的地提供者端末との送受信を可能とする通信手段と、前記利用者端末の表示画面に前記目的地情報に関する情報を表示させる表示情報出力手段と、前記通信手段で得られた情報より前記利用者の現在地を特定して利用者位置情報を抽出する利用者位置抽出手段と、少なくとも目的地に対する前記利用者の要望に基づいて複数のカテゴリに選別された前記目的地情報及び前記利用者位置抽出手段によって特定された前記利用者の経時的な所在地を示す利用者履歴情報が蓄積されたデータベースと、前記通信手段によって前記利用者端末から送信された目的地に関する要望情報に基づき前記データベースに蓄積された目的地情報を参照して前記利用者の基点及び複数の目的地を設定し、前記利用者端末へ伝えるための目的地設定手段と、前記利用者が基点及び／又は目的地に位置しているか否かを判定し、前記利用者が基点及び／又は目的地に位置している場合には前記目的地設定手段に新たな目的地の設定を指示する判定手段と、係る判定手段及び前記目的地設定手段によって得られた情報に基づき、前記利用者履歴情報を更新する更新手段とを有してなることを特徴とする。
【００１６】
係る構成とすることにより、サーバを管理する主催者が目的地情報を更新する手間を省き、人的費用的負担を軽減することができる。また、目的地提供者は、任意に自己の目的地情報を登録、更新することができるので、参加意識が高まり、目的地提供者の参加が増大する。従って、目的地提供者の参加増大に伴って利用者が当該目的地に訪れる機会を増やし、結果としてその目的地周辺の地域活性化につながる。
【００１７】
前記課題を解決するために提供する本願第３の発明は、請求項２に記載の目的地情報提供サーバにおいて、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段が設けられたことを特徴とする。
【００１８】
係る構成とすることにより、利用者の年齢層、性別、利用地域及び好み（嗜好性）等を把握できる。すなわち、目的地提供者は、利用者の嗜好性等を単にアンケートして自己の営業計画や販売計画等を立てるよりも実質的な分析結果を得ることができる。
【００１９】
前記課題を解決するために提供する本願第４の発明は、請求項１から３のいずれかに記載の目的地情報提供サーバにおいて、前記基点が前記利用者の現在地に設定されることを特徴とする。
【００２０】
係る構成とすることにより、従来のオリエンテーリングにみられるように予め設定された基点に利用者を集結させることがないため、利用者の参加意思を向上させることができる。また、移動体通信端末を用いる利用者の現在地を基点とすることによって、フレキシブルにかつ効率的に目的地に関する情報を利用者に提供することができるので、利用者に参加意思向上に伴い各目的地が所在する地域に活性化をもたらすこととなる。
【００２１】
前記課題を解決するために提供する本願第５の発明は、請求項１から４のいずれかに記載の目的地情報提供サーバにおいて、前記目的地設定手段は、第１の目的地を設定し、その第１の目的地と前記基点とを結ぶ経路上に位置する第２の目的地を設定する手段であることを特徴とする。
【００２２】
係る構成により、利用者が自ら設定した本来の目的地と利用者の現在の位置との間に、利用者が望むカテゴリに基づいた新たな目的地（寄り道箇所）が設定されるので、利用者にとっては使い勝手がよいばかりでなく、前記カテゴリに基づく新たな情報を得ることができる。また、目的地提供者にとっても、本来であれば立ち寄らずに素通りしていた利用者が立ち寄ることになり、目的地の認知度が高まり、結果としてその目的地がある地域の活性化に役立てることができる。
【００２３】
前記課題を解決するために提供する本願第６の発明は、請求項１から５のいずれかに記載の目的地情報提供サーバにおいて、前記利用者位置抽出手段によって得られた前記利用者の位置情報と、目的地毎に設定された許容人数とに基づいて設定された前記目的地情報を変更して利用者を振り分ける振り分け手段が設けられたことを特徴とする。
【００２４】
係る構成は、例えば利用者が望む目的地が、利用者の現在地からそれほど差のない距離に複数あり、かついずれの目的地もその後の目的地へ向かうのに支障がない程度に位置している場合、前記複数の目的地のそれぞれの許容量に基づき各利用者を振り分けるものである。このように各目的地における利用者の分布を制御することで、利用者に複数の目的地をスムーズに辿らせることができ、利用者の参加意思を高め、結果として目的地が存在する地域の活性化に役立てることができる。
【００２５】
前記課題を解決するために提供する本願第７の発明は、請求項１から６のいずれかに記載の目的地情報提供サーバにおいて、前記利用者履歴情報に基づきインセンティヴ提供のためのポイントを集計する集計手段が設けられたことを特徴とする。
【００２６】
係る構成とすることにより、利用者の参加意思を向上させることができ、結果として目的地が所在する地域の活性化に役立てることができる。
尚、ここでいうインセンティヴとは、利用者が目的地に到達したことを契機に所定のポイントを付与し、その付与されたポイントの累積数に応じて利用者に与えられる商品や、前記目的地が例えば飲食店だった場合に利用者がその目的地に到達した際に使用できる割引券等を指すものである。
【００２７】
前記課題を解決するために提供する本願第８の発明は、請求項１から７のいずれかに記載の目的地情報提供サーバにおいて、所定の条件に基づき前記利用者端末に目的地情報を送信する割り込み手段が設けられたことを特徴とする。
【００２８】
前記所定の条件とは時間や場所を指すものである。例えば、正午になると前記割り込み手段は利用者端末に対して昼食を促す情報として当該利用者の現在地に基づき昼食をとり得る目的地に関する情報を送信する。また、前記所定の条件が場所であれば予め設定された場所の近くを移動する利用者に対して当該場所を割り込み目的地としてその情報を送信して誘導する。これらの時間や場所は、予め登録された目的地が主催するイベントの開催事情に依存してもよい。従って、利用者は自らが望む目的地に限定されることなく、幅広い情報を得られるので、その多くの参加意思が向上し、結果として目的地が所在する地域の活性化に役立てることができる。
【００２９】
前記課題を解決するために提供する本願第９の発明に係る目的地情報提供システムは、利用者が用いる移動体通信端末である利用者端末と前記利用者の移動の目的地となり得る目的地に関する複数の情報を前記利用者に提供する目的地情報提供サーバとがネットワークを介して送受信可能に接続されてなり、前記目的地情報提供サーバには、前記利用者端末に送受信可能とする通信手段と、前記利用者端末の表示画面に前記目的地情報に関する情報を表示させる表示情報出力手段と、前記通信手段で得られた情報より前記利用者の現在地を特定して利用者位置情報を抽出する利用者位置抽出手段と、少なくとも目的地に対する前記利用者の要望に基づいて複数のカテゴリに選別された前記目的地情報及び前記利用者位置抽出手段によって特定された前記利用者の経時的な所在地を示す利用者履歴情報が蓄積されたデータベースと、前記通信手段によって前記利用者端末から送信された目的地に関する要望情報に基づき前記データベースに蓄積された目的地情報を参照して前記利用者の基点及び複数の目的地を設定し、前記利用者端末へ伝えるための目的地設定手段と、前記利用者が基点及び／又は目的地に位置しているか否かを判定し、前記利用者が基点及び／又は目的地に位置している場合には前記目的地設定手段に新たな目的地の設定を指示する判定手段と、係る判定手段及び前記目的地設定手段によって得られた情報に基づき、前記利用者履歴情報を更新する更新手段とを有してなることを特徴とする。
【００３０】
係る構成とすることによって、移動体通信端末を用いて行うオリエンテーリングのように主催者側の意図に制限されることなく、利用者をそれぞれの要望に基づいた目的地に擬似的なオリエンテーリングといった態様で連続的かつ効率的に目的地に誘導することができる。すなわち、本願発明は、従来の移動体通信端末を用いたオリエンテーリングの要件であった「予め設定されたコース」を必要とせず、主催者側（サーバ）は、利用者それぞれが自らコースを設定するために必要な情報を利用者のニーズに基づいて利用者端末に与えるといった構成をなすものである。
【００３１】
前記課題を解決するために提供する本願第１０の発明は、請求項９に記載の目的地情報提供システムにおいて、前記目的地情報を提供する複数の目的地提供者が用いる目的地提供者端末が前記ネットワークに接続され、前記通信手段は前記目的地情報提供サーバとの前記目的地情報の送受信が可能とされたことを特徴とする。
【００３２】
係る構成とすることにより、サーバを管理する主催者が目的地情報を更新する手間を省き、人的費用的負担を軽減することができる。また、目的地提供者は、任意に自己の目的地情報を登録、更新することができるので、参加意識が高まり、目的地提供者の参加が増大する。従って、目的地提供者の参加増大に伴って利用者が当該目的地に訪れる機会を増やし、結果としてその目的地周辺の地域活性化につながる。
【００３３】
前記課題を解決するために提供する本願第１１の発明は、請求項１０に記載の目的地情報提供システムにおいて、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段が設けられたことを特徴とする。
【００３４】
係る構成とすることにより、利用者の年齢層、性別、利用地域及び好み（嗜好性）等を把握できる。すなわち、目的地提供者は、利用者の嗜好性等を単にアンケートして自己の営業計画や販売計画等を立てるよりも実質的な分析結果を得ることができる。
【００３５】
前記課題を解決するために提供する本願第１２の発明に係る目的地情報提供システムは、請求項９から１１のいずれかに記載の目的地情報提供システムにおいて、前記基点が前記利用者の現在地に設定されることを特徴とする。
【００３６】
係る構成とすることにより、従来のオリエンテーリングにみられるように予め設定された基点に利用者を集結させることがないため、利用者の参加意思を向上させることができる。また、移動体通信端末を用いる利用者の現在地を基点とすることによって、フレキシブルにかつ効率的に目的地に関する情報を利用者に提供することができるので、利用者に参加意思向上に伴い各目的地が所在する地域の活性化に役立てることができる。
【００３７】
前記課題を解決するために提供する本願第１３の発明は、請求項９から１２のいずれかに記載の目的地情報提供システムにおいて、前記目的地設定手段は、第１の目的地を設定し、その第１の目的地と前記基点とを結ぶ経路上に位置する第２の目的地を設定する手段であることを特徴とする。
【００３８】
係る構成により、利用者が自ら設定した本来の目的地と利用者の現在の位置との間に、利用者が望むカテゴリに基づいた新たな目的地（寄り道箇所）が設定されるので、利用者にとっては使い勝手がよいばかりでなく、前記カテゴリに基づく新たな情報を得ることができる。また、目的地提供者にとっても、本来であれば立ち寄らずに素通りしていた利用者が立ち寄ることになり、目的地の認知度が高まり、結果としてその目的地がある地域の活性化に役立てることができる。
【００３９】
前記課題を解決するために提供する本願第１４の発明に係る目的地情報提供システムは、請求項９から１３のいずれかに記載の目的地情報提供システムにおいて、前記利用者位置抽出手段によって得られた前記利用者の位置情報と、目的地毎に設定された許容人数とに基づいて設定された前記目的地情報を変更して利用者を振り分ける振り分け手段が設けられたことを特徴とする。
【００４０】
係る構成は、例えば利用者が望む目的地が、利用者の現在地からそれほど差のない距離に複数あり、かついずれの目的地もその後の目的地へ向かうのに支障がない程度に位置している場合、前記複数の目的地のそれぞれの許容量に基づき各利用者を振り分けるものである。このように各目的地における利用者の分布を制御することで、利用者に複数の目的地をスムーズに辿らせることができ、利用者の参加意思を高め、結果として目的地が存在する地域の活性化に役立てることができる。
【００４１】
前記課題を解決するために提供する本願第１５の発明に係る目的地情報提供システムは、請求項９から１４のいずれかに記載の目的地情報提供システムにおいて、前記利用者履歴情報に基づきインセンティヴ提供のためのポイントを集計する集計手段が設けられたことを特徴とする。
【００４２】
係る構成とすることにより、利用者の参加意思を向上させることができ、結果として目的地が所在する地域の活性化に役立てることができる。
尚、ここでいうインセンティヴとは、利用者が目的地に到達したことを契機に所定のポイントを付与し、その付与されたポイントの累積数に応じて利用者に与えられる商品や、前記目的地が例えば飲食店だった場合に利用者がその目的地に到達した際に使用できる割引券等を指すものである。
【００４３】
前記課題を解決するために提供する本願第１６の発明に係る目的地情報提供システムは、請求項９から１５のいずれかに記載の目的地情報提供システムにおいて、所定の条件に基づき前記利用者端末に目的地情報を送信する割り込み手段が設けられたことを特徴とする。
【００４４】
前記所定の条件とは時間や場所を指すものである。例えば、正午になると前記割り込み手段は利用者端末に対して昼食を促す情報として当該利用者の現在地に基づき昼食をとり得る目的地に関する情報を送信する。また、前記所定の条件が場所であれば予め設定された場所の近くを移動する利用者に対して当該場所を割り込み目的地としてその情報を送信して誘導する。これらの時間や場所は、予め登録された目的地が主催するイベントの開催事情に依存してもよい。従って、利用者は自らが望む目的地に限定されることなく、幅広い情報を得られるので、その多くの参加意思が向上し、結果として目的地が所在する地域の活性化に役立てることができる。
【００４５】
前記課題を解決するために提供する本願第１７の発明に係る目的地情報提供方法は、利用者が用いる移動体通信端末である利用者端末と、前記利用者の移動の目的地となり得る目的地に関する複数の情報を前記利用者に提供する目的地情報提供サーバ及び少なくとも目的地に対する利用者の要望に基づいて複数のカテゴリに選別された前記目的地情報を蓄積したデータベースとがネットワークを介して送受信可能に接続される準備過程と、利用者の現在地を特定する利用者位置抽出過程と、前記目的地情報に関する情報について移動の目的となる要望を入力するようガイドする表示内容を前記利用者端末に表示させる表示情報出力過程と、前記利用者端末から要望を受ける過程と、前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定過程と、前記利用者の基点及び／又は複数の目的地を前記利用者端末に送信する通信過程と、前記利用者が基点及び／又は目的地に位置しているか否かを判定し、前記利用者が基点及び／又は目的地に位置している場合には前記目的地設定過程に進み新たな目的地の設定を指示する判定過程と、係る判定過程、前記目的地設定過程及び前記利用者位置抽出過程によって特定された前記利用者の経時的な所在地を示す利用者履歴情報を更新する更新過程とを有することを特徴とする。
【００４６】
係る方法を採用することにより、移動体通信端末を用いて行うオリエンテーリングのように主催者側の意図に制限されることなく、利用者をそれぞれの要望に基づいた目的地に擬似的なオリエンテーリングといった態様で連続的かつ効率的に目的地に誘導することができる。すなわち、本願発明は、従来の移動体通信端末を用いたオリエンテーリングの要件であった「予め設定されたコース」を必要とせず、主催者側（サーバ）は、利用者それぞれが自らコースを設定するために必要な情報を利用者のニーズに基づいて利用者端末に与えるといった構成をなすものである。
【００４７】
前記課題を解決するために提供する本願第１８の発明は、請求項１７に記載の目的地情報提供方法において、前記準備過程には、前記目的地情報を提供する複数の目的地提供者が用いる目的地提供者端末が、前記ネットワークに接続され、前記目的地情報提供サーバとの前記目的地情報の送受信が可能とされる過程が含まれたことを特徴とする。
【００４８】
係る方法を採用することにより、サーバを管理する主催者が目的地情報を更新する手間を省き、人的費用的負担を軽減することができる。また、目的地提供者は、任意に自己の目的地情報を登録、更新することができるので、参加意識が高まり、目的地提供者の参加が増大する。従って、目的地提供者の参加増大に伴って利用者が当該目的地に訪れる機会を増やし、結果としてその目的地周辺の地域活性化につながる。
【００４９】
前記課題を解決するために提供する本願第１９の発明は、請求項１８に記載の目的地情報提供方法において、前記目的地情報提供サーバが、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する過程が含まれたことを特徴とする。
【００５０】
係る方法を採用することにより、利用者の年齢層、性別、利用地域及び好み（嗜好性）等を把握できる。すなわち、目的地提供者は、利用者の嗜好性等を単にアンケートして自己の営業計画や販売計画等を立てるよりも実質的な分析結果を得ることができる
【００５１】
前記課題を解決するために提供する本願第２０の発明に係る目的地情報提供方法は、請求項１７から１９のいずれかに記載の目的地情報提供方法において、前記基点が前記利用者の現在地に設定されることを特徴とする。
【００５２】
係る方法を採用することにより、従来のオリエンテーリングにみられるように予め設定された基点に利用者を集結させることがないため、利用者の参加意思を向上させることができる。また、移動体通信端末を用いる利用者の現在地を基点とすることによって、フレキシブルにかつ効率的に目的地に関する情報を利用者に提供することができるので、利用者に参加意思向上に伴い各目的地が所在する地域の活性化に役立てることができる。
【００５３】
前記課題を解決するために提供する本願第２１の発明は、請求項１７から２０のいずれかに記載の目的地情報提供方法において、前記目的地設定過程は、第１の目的地を設定し、その第１の目的地と前記基点とを結ぶ経路上に位置する第２の目的地を設定する過程であることを特徴とする。
【００５４】
係る方法を採用することにより、利用者が自ら設定した本来の目的地と利用者の現在の位置との間に、利用者が望むカテゴリに基づいた新たな目的地（寄り道箇所）が設定されるので、利用者にとっては使い勝手がよいばかりでなく、前記カテゴリに基づく新たな情報を得ることができる。また、目的地提供者にとっても、本来であれば立ち寄らずに素通りしていた利用者が立ち寄ることになり、目的地の認知度が高まり、結果としてその目的地がある地域の活性化に役立てることができる。
【００５５】
前記課題を解決するために提供する本願第２２の発明に係る目的地情報提供方法は、請求項１７から２１のいずれかに記載の目的地情報提供方法において、前記目的地設定過程は、第１の目的地を設定し、その第１の目的地と前記基点とを結ぶ経路上に位置する第２の目的地を設定する過程であることを特徴とする。
【００５６】
係る方法を採用することにより、利用者に複数の目的地をスムーズに辿らせることができ、利用者の参加意思を高め、結果として目的地が存在する地域の活性化に役立てることができる。
【００５７】
前記課題を解決するために提供する本願第２３の発明に係る目的地情報提供方法は、請求項１７から２２のいずれかに記載の目的地情報提供方法において、前記利用者履歴情報に基づきインセンティヴ提供のためのポイントを集計する集計過程を有することを特徴とする。
【００５８】
係る方法を採用することにより、利用者の参加意思を向上させることができ、結果として目的地が所在する地域の活性化に役立てることができる。
尚、ここでいうインセンティヴとは、利用者が目的地に到達したことを契機に所定のポイントを付与し、その付与されたポイントの累積数に応じて利用者に与えられる商品や、前記目的地が例えば飲食店だった場合に利用者がその目的地に到達した際に使用できる割引券等を指すものである。
【００５９】
前記課題を解決するために提供する本願第２４の発明に係る目的地情報提供方法は、請求項１７から２３のいずれかに記載の目的地情報提供方法において、所定の条件に基づき前記利用者端末に目的地情報を割り込み送信する割り込み過程を有することを特徴とする。
【００６０】
係る方法を採用することにより、利用者は自らが望む目的地に限定されることなく、幅広い情報を得られるので、その多くの参加意思が向上し、結果として目的地が所在する地域の活性化に役立てることができる。
【００６１】
前記課題を解決するために提供する本願第２５の発明に係る目的地情報提供プログラムは、複数の目的地に関する情報を利用者に提供するために、利用者が用いる移動体通信端末である利用者端末とネットワークを介して送受信可能に接続され、少なくとも目的地に対する前記利用者の要望に基づいて複数のカテゴリに選別された前記利用者の移動の目的地となり得る目的地情報を蓄積したデータベースを有する目的地情報提供サーバを、前記利用者の現在地を特定する利用者位置抽出手段と、前記目的地情報に関する情報について移動の目的となる要望を入力するようガイドする表示内容を前記利用者端末に表示させる表示情報出力手段と、前記利用者の現在地及び前記利用者端末から送信された前記利用者の前記要望に関する情報に基づいて前記データベースに蓄積された前記複数のカテゴリに選別された目的地情報から利用者の基点及び／又は複数の目的地を設定する目的地設定手段と、前記利用者の基点及び／又は複数の目的地を前記利用者端末に送信する通信手段と、前記利用者が基点及び／又は目的地に位置しているか否かを判定し、前記利用者が基点及び／又は目的地に位置している場合には前記目的地設定手段に新たな目的地の設定を指示する判定手段と、係る判定手段、前記目的地設定手段及び前記利用者位置抽出手段によって特定された前記利用者の経時的な所在地を示す利用者履歴情報を更新する更新手段として機能させることを特徴とする。
【００６２】
従って、移動体通信端末を用いて行うオリエンテーリングのように主催者側の意図に制限されることなく、利用者をそれぞれの要望に基づいた目的地に擬似的なオリエンテーリングといった態様で連続的かつ効率的に目的地に誘導することができる。すなわち、本願発明は、従来の移動体通信端末を用いたオリエンテーリングの要件であった「予め設定されたコース」を必要とせず、主催者側（サーバ）は、利用者それぞれが自らコースを設定するために必要な情報を利用者のニーズに基づいて利用者端末に与えるといった構成をなすものである。
【００６３】
前記課題を解決するために提供する本願第２６の発明に係る目的地情報提供プログラムは、複数の目的地に関する情報を利用者に提供するために、利用者が用いる移動体通信端末である利用者端末及び前記利用者の移動の目的地となり得る目的地情報を提供する複数の目的地提供者が用いる目的地提供者端末とネットワークを介して送受信可能に接続され、少なくとも目的地に対する前記利用者の要望に基づいて複数のカテゴリに選別された前記目的地情報を蓄積したデータベースを有する目的地情報提供サーバを、前記利用者の現在地を特定する利用者位置抽出手段と、前記目的地情報に関する情報について移動の目的となる要望を入力するようガイドする表示内容を前記利用者端末に表示させる表示情報出力手段と、前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定手段と、前記利用者の基点及び／又は複数の目的地を前記利用者端末に送信する通信手段と、前記利用者が基点及び／又は目的地に位置しているか否かを判定し、前記利用者が基点及び／又は目的地に位置している場合には前記目的地設定手段に新たな目的地の設定を指示する判定手段と、係る判定手段、前記目的地設定手段及び前記利用者位置抽出手段によって特定された前記利用者の経時的な所在地を示す利用者履歴情報を更新する更新手段として機能させることを特徴とする。
【００６４】
従って、サーバを管理する主催者が目的地情報を更新する手間を省き、人的費用的負担を軽減することができる。また、目的地提供者は、任意に自己の目的地情報を登録、更新することができるので、参加意識が高まり、目的地提供者の参加が増大する。従って、目的地提供者の参加増大に伴って利用者が当該目的地に訪れる機会を増やし、結果としてその目的地周辺の地域活性化につながる。
【００６５】
前記課題を解決するために提供する本願第２７の発明は、請求項２６に記載の目的地情報提供プログラムにおいて、前記目的地情報提供サーバを、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段を有して機能させることを特徴とする。
【００６６】
従って、利用者の年齢層、性別、利用地域及び好み（嗜好性）等を把握できる。すなわち、目的地提供者は、利用者の嗜好性等を単にアンケートして自己の営業計画や販売計画等を立てるよりも実質的な分析結果を得ることができる。
【００６７】
前記課題を解決するために提供する本願第２８の発明に係る目的地情報提供プログラムは、請求項２５から２７のいずれかに記載の目的地情報提供プログラムにおいて、前記基点が前記利用者の現在地に設定されることを特徴とする。
【００６８】
従って、従来のオリエンテーリングにみられるように予め設定された基点に利用者を集結させることがないため、利用者の参加意思を向上させることができる。また、移動体通信端末を用いる利用者の現在地を基点とすることによって、フレキシブルにかつ効率的に目的地に関する情報を利用者に提供することができるので、利用者に参加意思向上に伴い各目的地が所在する地域の活性化に役立てることができる。
【００６９】
前記課題を解決するために提供する本願第２９の発明は、請求項２５から２８のいずれかに記載の目的地情報提供プログラムにおいて、前記目的地設定過程は、第１の目的地を設定し、その第１の目的地と前記基点とを結ぶ経路上に位置する第２の目的地を設定する過程であることを特徴とする。
【００７０】
従って、利用者が自ら設定した本来の目的地と利用者の現在の位置との間に、利用者が望むカテゴリに基づいた新たな目的地（寄り道箇所）が設定されるので、利用者にとっては使い勝手がよいばかりでなく、前記カテゴリに基づく新たな情報を得ることができる。また、目的地提供者にとっても、本来であれば立ち寄らずに素通りしていた利用者が立ち寄ることになり、目的地の認知度が高まり、結果としてその目的地がある地域の活性化に役立てることができる。
【００７１】
前記課題を解決するために提供する本願第３０の発明に係る目的地情報提供プログラムは、請求項２５から２９のいずれかに記載の目的地情報提供プログラムにおいて、前記利用者位置抽出手段によって得られた前記利用者の位置情報と、目的地毎に設定された許容人数とに基づいて設定された前記目的地情報を変更して前記利用者を振り分ける振り分け過程を有することを特徴とする。
【００７２】
従って、利用者に複数の目的地をスムーズに辿らせることができ、利用者の参加意思を高め、結果として目的地が存在する地域の活性化に役立てることができる。
【００７３】
前記課題を解決するために提供する本願第３１の発明に係る目的地情報提供プログラムは、請求項２５から３０のいずれかに記載の目的地情報提供プログラムにおいて、前記利用者履歴情報に基づきインセンティヴ提供のためのポイントを集計する集計過程を有することを特徴とする。
【００７４】
従って、利用者の参加意思を向上させることができ、結果として目的地が所在する地域の活性化に役立てることができる。
尚、ここでいうインセンティヴとは、利用者が目的地に到達したことを契機に所定のポイントを付与し、その付与されたポイントの累積数に応じて利用者に与えられる商品や、前記目的地が例えば飲食店だった場合に利用者がその目的地に到達時に使用できる割引券等を指すものである。
【００７５】
前記課題を解決するために提供する本願第３２の発明に係る目的地情報提供プログラムは、請求項２５から３１のいずれかに記載の目的地情報提供プログラムにおいて、所定の条件に基づき前記利用者端末に目的地情報を割り込み送信する割り込み過程を有することを特徴とする。
【００７６】
従って、利用者は自らが望む目的地に限定されることなく、幅広い情報を得られるので、その多くの参加意思が向上し、結果として目的地が所在する地域の活性化に役立てることができる。
【００７７】
前記課題を解決するために提供する本願第３３の発明に係る目的地情報提供プログラムを記録したコンピュータ読み取り可能な記録媒体は、複数の目的地に関する情報を利用者に提供するために、利用者が用いる移動体通信端末である利用者端末とネットワークを介して送受信可能に接続され、少なくとも目的地に対する前記利用者の要望に基づいて複数のカテゴリに選別された前記利用者の移動の目的地となり得る目的地情報を蓄積したデータベースを有する目的地情報提供サーバを、前記利用者の現在地を特定する利用者位置抽出手段と、前記目的地情報に関する情報について移動の目的となる要望を入力するようガイドする表示内容を前記利用者端末に表示させる表示情報出力手段と、前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定手段と、前記利用者の基点及び／又は複数の目的地を前記利用者端末に送信する通信手段と、前記利用者が基点及び／又は目的地に位置しているか否かを判定し、前記利用者が基点及び／又は目的地に位置している場合には前記目的地設定手段に新たな目的地の設定を指示する判定手段と、係る判定手段、前記目的地設定手段及び前記利用者位置抽出手段によって特定された前記利用者の経時的な所在地を示す利用者履歴情報を更新する更新手段として機能させることを特徴とする。
【００７８】
従って、移動体通信端末を用いて行うオリエンテーリングのように主催者側の意図に制限されることなく、利用者をそれぞれの要望に基づいた目的地に擬似的なオリエンテーリングといった態様で連続的かつ効率的に目的地に誘導することができる。すなわち、本願発明は、従来の移動体通信端末を用いたオリエンテーリングの要件であった「予め設定されたコース」を必要とせず、主催者側（サーバ）は、利用者それぞれが自らコースを設定するために必要な情報を利用者のニーズに基づいて利用者端末に与えるといった構成をなすものである。
【００７９】
前記課題を解決するために提供する本願第３４の発明に係る目的地情報提供プログラムを記録したコンピュータ読み取り可能な記録媒体は、複数の目的地に関する情報を利用者に提供するために、利用者が用いる移動体通信端末である利用者端末及び前記利用者の移動の目的地となり得る目的地情報を提供する複数の目的地提供者が用いる目的地提供者端末とネットワークを介して送受信可能に接続され、少なくとも目的地に対する前記利用者の要望に基づいて複数のカテゴリに選別された前記目的地情報を蓄積したデータベースを有する目的地情報提供サーバを、前記利用者の現在地を特定する利用者位置抽出手段と、前記目的地情報に関する情報について移動の目的となる要望を入力するようガイドする表示内容を前記利用者端末に表示させる表示情報出力手段と、前記利用者の現在地及び前記利用者端末から送信された前記利用者の前記要望に関する情報に基づいて前記データベースに蓄積された前記複数のカテゴリに選別された目的地情報から前記利用者の基点及び／又は複数の目的地を設定する目的地設定手段と、前記利用者の基点及び／又は複数の目的地を前記利用者端末に送信する通信手段と、前記利用者が基点及び／又は目的地に位置しているか否かを判定し、前記利用者が基点及び／又は目的地に位置している場合には前記目的地設定手段に新たな目的地の設定を指示する判定手段と、係る判定手段、前記目的地設定手段及び前記利用者位置抽出手段によって特定された前記利用者の経時的な所在地を示す利用者履歴情報を更新する更新手段として機能させることを特徴とする。
【００８０】
従って、サーバを管理する主催者が目的地情報を更新する手間を省き、人的費用的負担を軽減することができる。また、目的地提供者は、任意に自己の目的地情報を登録、更新することができるので、参加意識が高まり、目的地提供者の参加が増大する。従って、目的地提供者の参加増大に伴って利用者が当該目的地に訪れる機会を増やし、結果としてその目的地周辺の地域活性化につながる。
【００８１】
前記課題を解決するために提供する本願第３５の発明は、請求項３４に記載の目的地情報提供プログラムを記録したコンピュータ読み取り可能な記録媒体において、前記目的地情報提供サーバを、前記目的地情報、前記利用者履歴情報及び前記利用者の個別情報に基づき前記利用者の属性と前記利用者の動向とを関連づけた分析情報を作成すると共に、前記通信手段を介して前記目的地提供者端末に送信する分析手段を有して機能させることを特徴とする。
【００８２】
従って、利用者の年齢層、性別、利用地域及び好み（嗜好性）等を把握できる。すなわち、目的地提供者は、利用者の嗜好性等を単にアンケートして自己の営業計画や販売計画等を立てるよりも実質的な分析結果を得ることができる。
【００８３】
前記課題を解決するために提供する本願第３６の発明に係る目的地情報提供プログラムを記録したコンピュータ読み取り可能な記録媒体は、請求項３３から３５のいずれかに記載の目的地情報提供プログラムを記録したコンピュータ読み取り可能な記録媒体において、前記基点が前記利用者の現在地に設定されることを特徴とする。
【００８４】
従って、従来のオリエンテーリングにみられるように予め設定された基点に利用者を集結させることがないため、利用者の参加意思を向上させることができる。また、移動体通信端末を用いる利用者の現在地を基点とすることによって、フレキシブルにかつ効率的に目的地に関する情報を利用者に提供することができるので、利用者に参加意思向上に伴い各目的地が所在する地域の活性化に役立てることができる。
【００８５】
前記課題を解決するために提供する本願第３７の発明は、請求項３３から３６のいずれかに記載の目的地情報提供プログラムを記録したコンピュータ読み取り可能な記録媒体において、前記目的地設定過程は、第１の目的地を設定し、その第１の目的地と前記基点とを結ぶ経路上に位置する第２の目的地を設定する過程であることを特徴とする。
【００８６】
従って、利用者が自ら設定した本来の目的地と利用者の現在の位置との間に、利用者が望むカテゴリに基づいた新たな目的地（寄り道箇所）が設定されるので、利用者にとっては使い勝手がよいばかりでなく、前記カテゴリに基づく新たな情報を得ることができる。また、目的地提供者にとっても、本来であれば立ち寄らずに素通りしていた利用者が立ち寄ることになり、目的地の認知度が高まり、結果としてその目的地がある地域の活性化に役立てることができる。
【００８７】
前記課題を解決するために提供する本願第３８の発明に係る目的地情報提供プログラムを記録したコンピュータ読み取り可能な記録媒体は、請求項３３から３７のいずれかに記載の目的地情報提供プログラムを記録したコンピュータ読み取り可能な記録媒体において、前記利用者位置抽出手段によって得られた前記利用者の位置情報と、目的地毎に設定された許容人数とに基づいて設定された前記目的地情報を変更して前記利用者を振り分ける振り分け過程を有することを特徴とする。
【００８８】
従って、利用者に複数の目的地をスムーズに辿らせることができ、利用者の参加意思を高め、結果として目的地が存在する地域の活性化に役立てることができる。
【００８９】
前記課題を解決するために提供する本願第３９の発明に係る目的地情報提供プログラムを記録したコンピュータ読み取り可能な記録媒体は、請求項３３から３８のいずれかに記載の目的地情報提供プログラムを記録したコンピュータ読み取り可能な記録媒体において、前記利用者履歴情報に基づきインセンティヴ提供のためのポイントを集計する集計過程を有することを特徴とする。
【００９０】
従って、利用者の参加意思を向上させることができ、結果として目的地が所在する地域の活性化に役立てることができる。
尚、ここでいうインセンティヴとは、利用者が目的地に到達したことを契機に所定のポイントを付与し、その付与されたポイントの累積数に応じて利用者に与えられる商品や、前記目的地が例えば飲食店だった場合に利用者がその目的地に到達時に使用できる割引券等を指すものである。
【００９１】
前記課題を解決するために提供する本願第４０の発明に係る目的地情報提供プログラムを記録したコンピュータ読み取り可能な記録媒体は、請求項３３から３９のいずれかに記載の目的地情報提供プログラムを記録したコンピュータ読み取り可能な記録媒体において、所定の条件に基づき前記利用者端末に目的地情報を割り込み送信する割り込み過程を有することを特徴とする。
【００９２】
従って、利用者は自らが望む目的地に限定されることなく、幅広い情報を得られるので、その多くの参加意思が向上し、結果として目的地が所在する地域の活性化に役立てることができる。
【００９３】
【発明の実施の形態】
以下に、本発明の実施の形態について図面を参照して説明する。
図１は、本発明に係る目的地情報提供システムの実施の形態における構成を示すブロック図である。
図１に示すように、本発明に係る目的地情報提供システムは、複数の利用者が用いる移動体通信端末である各々の利用者端末Ａ（Ａ１，・・・，Ａｎ）と、目的地情報を提供する複数の目的地提供者が用いる各々の目的地提供者端末Ｂ（Ｂ１，・・・，Ｂｎ）と、目的地情報提供サーバ１（以下、サーバ１とする）とがインターネット等のネットワーク３を介して送受信を可能に接続されてなる。
前記利用者端末Ａは、少なくとも前記ネットワーク３を介して送信された情報を表示する表示情報出力手段及び操作することによってその操作内容に係る情報が前記ネットワーク３を介して送信することができる入力手段を有する。
前記サーバ１は、前記利用者端末Ａ及び目的地提供者端末Ｂに対して各種情報通信を行う通信手段１０と、その通信手段１０を用いてサーバ１内で処理された各種情報を利用者端末Ａや目的地提供者端末Ｂの表示画面上で閲覧できるようにする表示情報出力手段１１と、前記通信手段で得られた情報より利用者の現在地を特定して利用者位置情報を抽出する利用者位置抽出手段１２と、少なくとも目的地に対する利用者の要望に基づいて複数のカテゴリに選別された前記目的地情報及び前記利用者位置抽出手段１２によって特定された利用者の経時的な所在地を示す利用者履歴情報が蓄積されたデータベース２と、前記通信手段１０によって利用者端末から送信された目的地に関する要望情報に基づき前記データベースに蓄積された目的地情報を参照して利用者の基点及び複数の目的地を設定し、利用者端末へ伝えるための目的地設定手段１３と、利用者が基点及び／又は目的地に位置しているか否かを判定し、利用者が基点及び／又は目的地に位置している場合には前記目的地設定手段１３に新たな目的地の設定を指示する判定手段１４と、係る判定手段及び前記目的地設定手段によって得られた情報に基づき、前記利用者履歴情報を更新する更新手段１５とを有している。
尚、前記データベース２は、サーバ１の内部に設置されずにサーバ１の外部にあってサーバ１に送受信可能に接続されてもよく、複数設けられてもよい。
また、データベース２に蓄積された目的地情報は、単なる所在地や名称に基づいた情報に限られることなく、利用者端末Ａから送信される利用者の要望に応答可能なように目的地の業種等様々なカテゴリに選別されている。
ここで、本発明における目的地とは、物品等を販売したりサービスを提供する店舗やテーマパークや文化施設（公共施設）が好ましく、目的地をこのように設定することにより、到着した利用者が当該目的地を利用することができる。
また、前記サーバ１には、前記位置抽出手段１２によって得られた利用者の位置情報と、目的地毎に設定された許容人数とに基づいて設定された前記目的地情報を変更して利用者を振り分ける振り分け手段１６が設けられている。
さらに、前記サーバ１には、前記利用者履歴情報に基づきインセンティヴ提供のためのポイントを集計する集計手段１７が設けられている。
加えて、前記サーバ１には、所定の条件に基づき利用者端末Ａに目的地情報を送信する割り込み手段１８が設けられている。また、前記サーバ１には、前記目的地情報、前記利用者履歴情報及び前記利用者の個別情報に基づき利用者の属性と利用者の動向とを関連づけた分析情報を作成し、前記通信手段を介して前記目的地提供者端末に送信する分析手段が設けられてもよい。ここで、この分析手段は前記通信手段を用いて前記目的地提供者端末にファクシミリ送信してもよく、分析情報を受信する目的地情報提供者側のファクシミリ機器は前記目的地提供者端末に内蔵されても外部接続されてもかまわない。
【００９４】
ここで、前記サーバ１に設けられた各手段について以下に説明する。以下に記載された各種手段は必要に応じてデータベース２に蓄積された情報を参照しながら処理を行うものとする。
【００９５】
（通信手段）
通信手段１０は、サーバ１内で処理された各種情報をインターネット等のネットワーク３を介して利用者端末Ａや目的地提供者端末Ｂに対し送信したり、利用者端末Ａや目的地提供者端末Ｂから送信された各種情報を受信する手段である。
また、この通信手段１０はサーバ１に設けられた各手段の要求を受けて前記各種情報を送受信するものである。
【００９６】
（表示情報出力手段）
サーバ１内で処理された各種情報を、例えばＨＴＴＰ（Ｈｙｐｅｒ  ＴｅｘｔＴｒａｎｓｆｅｒ  Ｐｒｏｔｏｃｏｌ）等を用いてインターネット等のネットワーク３に接続した利用者端末Ａや目的地提供端末Ｂの表示画面上で閲覧できるようにする手段である。
【００９７】
（位置抽出手段）
利用者端末Ａの位置を経時的に特定する手段であり、例えば利用者端末Ａの位置を特定するのに利用者端末Ａが最短距離で交信する中継局（アンテナ）や交換局の位置を検出することにより利用者端末Ａの位置を特定する手段である。また、利用者端末Ａの位置を特定する手段として前述したＧＰＳを利用してもよく、内的、外的を問わずＧＰＳ機能が付加された移動体端末を利用者が用いることによって、利用者の現在地を位置抽出手段が特定できるようにされることが望ましい。
【００９８】
（目的地設定手段）
目的地設定手段１３は、利用者の基点及び複数の目的地を設定する手段であり、利用者に目的地に関する要望がある場合にはその要望のカテゴリ及び利用者端末Ａの位置（現在地）に基づきデータベース２内の目的地情報から適当とされる目的地を検索する手段である。ここで、利用者は基点を出発し、複数の目的地を辿るので目的地設定手段が設定する目的地は第１の目的地を除いて直前に設定した目的地を現在地として設定していく。すなわち、第３の目的地を設定する場合には、直前の第２の目的地に利用者が到着していると見なしその場所を現在地として設定する。また、前記基点は前記位置抽出手段によって特定された利用者端末Ａの位置（現在地）に設定してもよい。
【００９９】
（判定手段）
判定手段１４は、利用者、すなわち利用者端末Ａが、前記目的地設定手段１３によって設定された目的地に到着したか否かを判定する手段であり、ＧＰＳ等を用いて判定してもよいし、利用者端末Ａからの送信内容の正誤によって判定してもよい。ここで、前記利用者端末Ａからの送信内容とは例えば、サーバ１から利用者端末Ａに対して目的地に到着した際に回答するべき問題を表示し、利用者が当該目的地に到着した際に回答する内容であり、その目的地に到着することで特定できる内容（例えば外観の特徴等）が好ましい。このようにして利用者が目的地に到着したと判定した判定手段１４は、新たな目的地の設定を目的地設定手段に指示する。
【０１００】
（更新手段）
更新手段１５は、前記目的地設定手段１３及び前記判定手段１４によって得られた情報に基づき、予め前記データベース２に蓄積された前記目的地情報及び前記利用者履歴情報を更新し、前記目的地設定手段１３及び前記判定手段１４がデータベース２内に蓄積された情報を参照する際に有効な情報が得られるように更新する手段である。
【０１０１】
（振り分け手段）
振り分け手段１６は、例えば利用者が望む目的地が、利用者の現在地からそれほど差のない距離に複数あり、かついずれの目的地もその後の目的地へ向かうのに支障がない程度に位置している場合、前記複数の目的地のそれぞれの許容量に基づき各利用者を振り分ける手段である。
【０１０２】
（集計手段）
集計手段１７は、前記利用者履歴情報に基づきインセンティヴ提供のためのポイントを集計する手段である。尚、ここでいうインセンティヴとは、利用者が目的地に到達したことを契機に所定のポイントを付与し、その付与されたポイントの累積数に応じて利用者に与えられる商品や、前記目的地が例えば飲食店だった場合に利用者がその目的地に到達時に使用できる割引券等を指すものである。
【０１０３】
（割り込み手段）
割り込み手段１８は、時間や場所等の所定の条件に基づき利用者端末に目的地情報を送信する手段であり、例えば、正午になると前記割り込み手段は利用者端末に対して昼食を促す情報として当該利用者の現在地に基づき昼食をとり得る目的地に関する情報を送信する手段である。また、前記所定の条件が場所であれば予め設定された場所の近くを移動する利用者に対して当該場所を割り込み目的地としてその情報を送信して誘導する。これらの時間や場所は、予め登録された目的地が主催するイベントの開催事情に依存してもよい。
【０１０４】
（分析手段）
分析手段１９は、前記目的地情報、前記利用者履歴情報及び前記利用者の個別情報に基づき利用者の属性と利用者の動向とを関連づけた分析情報を作成し、前記通信手段を介して前記目的地提供者端末に送信する手段であり、この分析手段によって、利用者の年齢層、性別、利用地域及び好み（嗜好性）等を把握できる。すなわち、目的地提供者は、利用者の嗜好性等を単にアンケートして自己の営業計画や販売計画等を立てるよりも実質的な分析結果を得ることができる
【０１０５】
次に、本発明に係る目的地情報提供方法の実施形態について図面を参照して以下に説明する。
図２及び図３は、本発明に係る目的地情報提供方法の実施形態においてサーバ１と利用者端末Ａとの間でなされる動作を示すシーケンス図である。
【０１０６】
まず、図２に示すように、目的地提供者端末Ｂからサーバ１に対してネットワーク３を介して目的地情報が送信される（Ｓ１−Ｙｅｓ）。この目的地情報は、サーバ１内の前記更新手段によって各カテゴリに選別されてデータベース２内の目的地情報として蓄積されていく（Ｓ１ａ）。
ここで、前記目的地情報は、必ずしもネットワーク３を介して目的地提供者端末Ｂからサーバ１に対して送信される必要はない。すなわち、本発明に係る目的地情報提供システムに前記目的地提供者端末Ｂが参加しているか否かに関わらず目的地情報の授受が行われてもよい。従って、目的地情報の授受は、前記ネットワークとは別のネットワークを用いたり、ファクシミリなど異なる通信手段で行われてもよい。
【０１０７】
そして、この目的地情報がデータベース２に蓄積されたことを当該目的地提供者端末Ｂへサーバ１が送信する（Ｓ１ｂ）。このような目的地情報の提供は、異なる目的地提供者が用いる目的地提供者端末Ｂからサーバ１へ随時行われている。従って、目的地提供者端末Ｂからサーバ１へ目的地情報の提供がなされなかった場合（Ｓ１−Ｎｏ）は、最新に更新された前記目的地情報を保持しつつ利用者端末Ａがネットワーク３を介してサーバ１にアクセスした際に前記表示情報出力手段１１が参加募集情報を利用者端末Ａの表示画面に表示できるようにしている（Ｓ２）。
【０１０８】
この参加募集情報の表示を利用者が要求、すなわち利用者が自らの利用者端末Ａを用いてサーバ１が提供するホームページにアクセスすると（Ｓ３）、前記表示情報出力手段１１は当該参加募集画面を利用者端末Ａに送信する（Ｓ４）。この送信された参加募集画面を画面上で閲覧し、参加申込を利用者が要望する場合には、利用者端末Ａから参加申込情報を送信する（Ｓ５）。このときサーバ１は、この参加申込情報がユーザ登録かプレイ開始かを判別し（Ｓ６）、プレイ開始であった場合にはプレイ設定画面を利用者端末Ａに送信する。
尚、本実施形態における「プレイ」とは、利用者が目的地（従来のオリエンテーリングでいうチェックポイント）に関する情報の提供に参加することを指す。
【０１０９】
前記参加申込情報がユーザ登録であった場合には、利用者登録画面を利用者端末Ａに対して送信し（Ｓ７）、その利用者登録画面に表示された内容に基づき利用者端末Ａから利用者登録情報がサーバ１に送信される（Ｓ８）。
【０１１０】
その後、この利用者登録情報はデータベース２に蓄積される（Ｓ９）。このようにして利用者登録が行われた後、サーバ１は、プレイ開始可否画面を利用者端末Ａに送信する（Ｓ１０）。
【０１１１】
ここで、本実施形態の説明において前記プレイとは、便宜上、移動体通信端末を用いた擬似的なオリエンテーリングを意味するものであるが、利用者自身がこのようなオリエンテーリングに参加する意思を有するか否かは問わない。すなわち、本発明が提供する目的地情報は、移動体通信端末を用いたオリエンテーリングに参加する意思を持ち合わせた利用者を対象としたものに限られるものではなく、利用者の要望に応えうる２つ以上の目的地を提供することが本来の目的である。
【０１１２】
その後、利用者はプレイ開始か否かを判断し（Ｓ１１）、そのままプレイを開始する場合（Ｓ１２−Ｙｅｓ）には、その旨を利用者端末の表示画面上の表示内容に基づきサーバ１に送信し、すぐにプレイを行わない場合（Ｓ１２−Ｎｏ）には、その旨を利用者端末Ａの表示画面上の表示内容に基づきサーバ１に送信し、終了する。そしてそのいずれかの内容を利用者端末Ａから受信したサーバ１は、利用者がすぐにプレイする場合には図３に示すプレイ実行過程へ進み、利用者がすぐにプレイを実行しない場合には再び利用者からアクセスが来る（前記Ｓ３）まで待ち受けることとなる。
【０１１３】
（プレイ実行過程）
図３に示すように、まず、サーバ１は、利用者端末Ａの表示画面上に目的地設定画面を表示させる情報を利用者端末Ａに送信する（Ｓ１３）。その目的地設定画面を閲覧した利用者は、当該目的地設定画面の表示項目に基づき条件を利用者端末Ａの入力手段等を操作して入力し、その入力した情報がサーバ１に送信される（Ｓ１４）。ここで、前記目的地設定画面の表示項目及び条件は、利用者がこれから向かう目的地に関する要望を抽出するための項目及び条件であり、例えば「どのような場所に行きたいのか」や「何をしたいのか」といった利用者の今後の行動に関する抽象的な要望を抽出する項目であったり、利用者が向かいたい具体的な目的地の名称等を入力する機会を与える項目である。
【０１１４】
このようにして利用者端末Ａから送信された利用者の要望及び利用者端末Ａの現在地に基づき、サーバ１内の目的地設定手段１３が目的地を設定し（Ｓ１５）、その設定された目的地を利用者端末Ａに送信する（Ｓ１６）。
【０１１５】
目的地に関する情報を利用者端末Ａに受信した利用者は、その内容に基づいて目的地を目指す。そして目的地に到達した場合に、その旨を利用者端末Ａからサーバ１に送信する（Ｓ１７）。利用者端末Ａが目的地に到達した旨を受信したサーバ１は、利用者端末Ａが真に目的地に到達したか否かを判定手段１４によって判定する（Ｓ１８）。ここで、前記判定手段１４が判定する手法は、ＧＰＳ等を用いて判定してもよいし、利用者端末Ａからの送信内容の正誤によって判定してもよい。ここで、前記利用者端末Ａからの送信内容とは例えば、サーバ１から利用者端末Ａに対して目的地に到着した際に回答するべき問題を表示し、利用者が当該目的地に到着した際に回答する内容であり、その目的地に到着することで特定できる内容（例えば外観の特徴等）が好ましい。そして、この判定手段１４による判定によって利用者端末Ａが目的地に到達していないと判断された場合（Ｓ１８−Ｎｏ）、再び目的地に関する情報を利用者端末Ａに送信する（Ｓ１６）。
利用者端末Ａが真に目的地に到達したと判断された場合（Ｓ１８−Ｙｅｓ）には、到達した目的地を現在地として新たな目的地を設定する（Ｓ１９）。
ここで、判定手段１４により利用者端末Ａが真に目的地に到達したと判断され、新たな目的地を設定する場合に、改めて利用者に要望を問うプロセス（前記Ｓ１３〜Ｓ１４）を経てもよい。
その後、新たな目的地に関する情報を利用者端末Ａに送信し（Ｓ２０）、目的地に関する情報を利用者端末Ａに受信した利用者は、その内容に基づいて新たな目的地を目指す。そして新たな目的地に到達した場合に、その旨を利用者端末Ａからサーバ１に送信する（Ｓ２１）。利用者端末Ａが新たな目的地に到達した旨を受信したサーバ１は、利用者端末Ａが真に新たな目的地に到達したか否かを判定手段１４によって判定する（Ｓ２２）。ここで、前記判定手段１４が判定する手法は、前述と同様である。
【０１１６】
これまで記載したように、目的地に関する利用者の要望を抽出し、目的地を設定する過程は、本発明が利用者に目的地を２つ以上提供することを要件としている。従って、前記Ｓ１５〜Ｓ１８とＳ１９〜Ｓ２２は利用者の現在地こそ異なるが同様の過程である。ここで、本発明では、２つ以上の目的地を提供するのにその目的地数に応じて目的地を設定する回数が決定することに限定されない。例えば、利用者が目的地を１つ設定するための条件を挙げて、それによって設定された目的地と、その目的地及び利用者の現在地に基づいた第２の目的地をサーバ１が設定することによって利用者が希望する条件が１つの目的地に対してであっても複数の目的地を設定することができる。そして、利用者端末Ａが２つ目の目的地に到達したことが前記判定手段１４によって真とされた場合（Ｓ２２−Ｙｅｓ）には、サーバ１がプレイ継続、すなわち３つ目の目的地を設定し、そこへ行くか否かを利用者に問う旨を利用者端末Ａに送信する（Ｓ２３）。これによって利用者はプレイを継続するか否かを判断し（Ｓ２４）、継続しない場合（Ｓ２７−終了）にはその旨を利用者端末Ａの表示に基づいて送信し（Ｓ２６）して終了する。また継続する場合（Ｓ２７−継続）にはその旨を利用者端末Ａの表示に基づいて送信し（Ｓ２５）、それを受信したサーバ１は前記目的地設定を再び行う（Ｓ１９）。尚、この２つ目以降の目的地設定は、その都度利用者に要望を問うプロセス（前記Ｓ１３〜Ｓ１４）を経てもよい。
【０１１７】
（目的地設定）
次に、本発明に係る目的地情報提供方法の実施形態においてサーバ１の目的地設定手段１３が行う目的地設定について図面を参照して以下に説明する。
図４は本実施形態における目的地設定のプロセスを示すフローチャートである。
図４に示すように、目的地設定が開始されると、まず利用者の現在地を特定する（Ｓ３１）。ここで、利用者の現在地を特定する方法は、前述の位置抽出手段が行う方法による。次に、目的地設定に関する利用者の要望があるか否かを判定し（Ｓ３２）、ある場合にはそれが具体的な場所か否かを判定する（Ｓ３３）。
目的地設定に関する利用者の要望が具体的な場所に特定されていない場合、すなわち「○○が食べたい」といった行動に関する抽象的な要望であった場合、どのようなカテゴリの要望なのかを問い、その回答を受信（Ｓ３４）した後、利用者の要望のカテゴリ及び利用者端末Ａの現在地に基づいてデータベース２内の目的地情報を検索し（Ｓ３５）、目的地を決定する（Ｓ３６）。また、利用者に要望がなければ（Ｓ３２−Ｎｏ）、利用者端末Ａの現在地に基づいてランダムデータベース２内の目的地情報を検索し（Ｓ３７）、目的地を決定する（Ｓ３６）。さらに、利用者に具体的な目的地が挙げられる場合（Ｓ３３−Ｙｅｓ）には、その場所（例えば名称）を利用者端末Ａの入力手段によって入力し、その内容がサーバ１に送信されることによって目的地を決定する（Ｓ３６）。
【０１１８】
その後、決定された目的地が過去に目的地として設定されたことがあるか否かを判定し（Ｓ３８）、過去に目的地として設定されたことがない場合には目的地情報を作成し（Ｓ４０）、その目的地情報を利用者端末Ａに送信（Ｓ４１）して、終了する。また決定された目的地が過去にされたことがある場合には、データベース２内の利用者履歴情報から同じ利用者における当該目的地情報を読み出し（Ｓ３９）、その目的地情報を利用者端末Ａに送信（Ｓ４１）して、目的地設定過程を終了する。
【０１１９】
ここで、目的地設定を行う際に参照される目的地情報をはじめとする各種情報が蓄積されたデータベースの構成について図面を参照して説明する。
【０１２０】
（目的地情報）
図５（ａ）に示すように、目的地情報は、「提供者の詳細情報」、「抽出条件」及び「カウンタ」に分類される。
【０１２１】
「提供者の詳細情報」は、目的地の態様を示す情報群であり、目的地を識別する「目的地ＩＤ」、店舗名等による「目的地名称」、所在地を示す「住所」、連絡先としての「電話番号」、前記「住所」を位置抽出手段によって識別されるための「位置情報」、当該目的地の視覚的特徴等を示す「キーワード」、前記振り分け手段１６によって天候による振り分けを行う指標となる「天気関連」、当該目的地が店舗等であった場合の活動時間である「営業時間」、利用者に対して特に来所して欲しい時間帯（前記割り込み手段に用いられる）を示す「希望紹介時間帯」、前記振り分け手段１６による振り分け時の接客可能人数である「許容人数」、割引販売等当該目的地のサービス情報を示す「特典」及び前記「キーワード」の問題となる「出題方法」を有する。
【０１２２】
「抽出条件」は、前記目的地設定手段１３が目的地を設定する際の検索対象となる情報群であり、利用者が要望する行動を抽象的に分類した大分類や具体的な行動に分類した小分類等複数に分類された「カテゴリ」、利用者の性別、年代、家族構成等利用者の対象を規定する「対象とする利用者」、地域選択をする際、当該目的地がどこに属するかの最小単位を示す「最小対象地域」及び当該目的地を利用者の目的地対象とする際の期間を示す「提供期間」を有する。
【０１２３】
「カウンタ」は、当該目的地における利用者の利用状況として当日の立ち寄り人数である「当日」、所定期間中又は前記「提供期間」中の立ち寄り人数である「期間中」及びトータルの立ち寄り人数である「トータル」を有する。
【０１２４】
（利用者情報）
図５（ｂ）に示すように、利用者情報は、「利用者の詳細情報」及び「クリア情報」に分類される。
【０１２５】
「利用者情報」は、前述の利用者登録を行った際に得られる利用者の個別情報であり、利用者を識別する「利用者ＩＤ」、利用者名である「氏名」、利用者の住所を示す「住所」、利用者の連絡先を示す「電話番号」、利用者の性別を示す「性別」、利用者の生年月日を示す「生年月日」及び利用者が取得したポイント数の合計を示す「ポイント数」を有する。
【０１２６】
「クリア情報」は、クリア（到達）した目的地のＩＤを示す「目的地ＩＤ」、目的地を最新にクリア（到達）した日付を示す「日付」、同一の目的地間をクリア（到達）した最速記録（時間）を示す「所要時間」及び当該利用者がクリア（到達）した同一目的地間の回数を示す「クリア回数」を有する。
【０１２７】
（利用者履歴情報）
図６（ａ）に示すように、利用者履歴情報は、本発明の実施形態における利用者の履歴情報を示す群であり、「利用者情報」、「開催情報」、「抽出条件」、「目的地情報」、「現在地情報」及び「寄り道情報」に分類される。
【０１２８】
「利用者情報」は、利用者を識別する「利用者ＩＤ」、前記集計手段１７に基づいて得られる獲得ポイント数やボーナスポイントを示す「本日のポイント数」、「本日のボーナスポイント」、利用者に同行している人数を示す「同行者数」及び当日にクリア（到達）した目的地の数を示す「本日のクリア数」を有する。
【０１２９】
「開催情報」は、目的地情報の提供を開始した日時である「開始日時」、その開始時の位置情報である「開始時の位置情報」、利用者が希望する終了日時である「終了予定日時」、提供される複数の目的地の終了目標地域を示す「目標地域」及び目標値クリア設定を示す「クリア数」を有する。
【０１３０】
「抽出条件」は、どのイベントのオリエンテーリング、すなわちサーバ１を運用する主催者が企画した複数の目的地からなるイベントの種類を示す「イベント」、利用者が選んだ目的地の分類である「分類」、利用者が選んだ開催地域である「地域」及び目的地を決定した時の目的地周辺の天候を示す「天気」を有する。
【０１３１】
「目的地情報」は、利用者が最新にクリア（到達）した目的地を識別する「現在の目的地ＩＤ」、利用者が直前の目的地を出発した時間を示す「直前のポイント出発時間」、利用者がこれから向かう目的地を識別する「目標の目的地ＩＤ」、利用者がこれから向かう目的地の位置情報を示す「目標の位置情報」、利用者がこれから向かう目的地のキーワードを示す「目標のキーワード」、目的地をクリア（到達）するまでの回数を示す「トライ数」及び目的地をクリア（到達）するまでの所要時間を示す「所要時間」を有する。
【０１３２】
「現在地情報」は、利用者の現在の位置情報を示す「位置情報」、利用者が利用者端末Ａを用いてサーバ１に送信したキーワードを示す「キーワード」及び前記「位置情報」をサーバ１が受信した時刻を示す「受信時刻」を有する。
【０１３３】
「寄り道情報」は、前記割り込み手段１８が作用した場合に用いられる情報群であり、利用者が寄り道をする場合の目的地を識別する「寄り道目的地ＩＤ」、利用者が寄り道をする場合の目的地の位置情報を示す「寄り道位置情報」及び利用者が寄り道をする場合の目的地のキーワードを示す「寄り道キーワード」を有する。
【０１３４】
（到達時間情報）
「到達時間情報」は、各利用者につき所定の目的地間に要した時間が記録された情報群であり、終点となった目的地を識別する「終点ポイント」、（一区間内の）基点となった目的地を識別する「基点ポイント」、前記「終点ポイント」と「基点ポイント」との距離を示す「距離」、同一区間での所要時間が最短を記録した利用者を識別する「記録保持者」及びその所要時間を示す「所要時間」を有する。
【０１３５】
（イベント情報）
「イベント情報」は、前述したように、サーバ１を運用する主催者が企画した複数の目的地からなるイベントの種類を示す情報群であり、当該イベントの識別をする「イベントＩＤ」、そのイベントの名称を示す「イベント名」及び目的地追加の可否を示す「目的地の増加」を有する。
【０１３６】
次に、本発明の実施の形態が以上のようにして行われた場合の利用者端末Ａの表示画面の表示内容について、図面を参照して以下に説明する。
【０１３７】
図７〜図１２は、本発明に係る目的地情報提供方法を行った場合の利用者端末Ａの表示画面に表示される内容を示す図である。以下、前述した本発明に係る目的地情報提供方法におけるシーケンス図（図２〜図４）と併せて説明する。尚、本実施形態における表示内容には、利用者に対して「オリエンテーリング」、「コース」及び「チェックポイント」といった語を使用するが、これらは実施時に便宜上そのように呼称するものであって、本願における「目的地情報の提供」及び「目的地」を限定するものではない。
【０１３８】
図７に示すように、インターネット等のネットワークを介してサーバ１を運用する主催者のホームページにアクセスした利用者端末Ａの表示画面には、トップページ１００が表示される（図２−Ｓ２）。このトップページ１００には、本願発明に係る目的地情報の提供の説明を表示する「ルール」ボタン１０１と本願発明に係る目的地情報の提供を利用者が受け得る「参加申込」ボタン１０２とが表示されている。
【０１３９】
前記「参加申込」ボタン１０２を利用者端末Ａの入力手段によって選択する（図２−Ｓ３）と、図７（ｂ）に示すように、利用者の登録を行う「ユーザ登録」ボタン１１１と、目的地情報の提供を要求する「プレイ開始」ボタン１１２とが表示された参加申込画面１１０が利用者端末Ａの表示画面に表示される（図２−Ｓ４）。この画面で、利用者が「ユーザ登録」ボタンを選択する（図２−Ｓ５）と、図７（ｃ）に示すユーザ登録画面１２０が表示される（図２−Ｓ６〜Ｓ７）。このユーザ登録画面１２０には、「氏名」項目１２１、「住所」項目１２２、「電話番号」項目１２３、「性別」コンボボックス１２４、「生年月日」項目１２５及び「送信」ボタン１２６が表示される。これらの表示それぞれについて利用者が利用者端末Ａの入力手段を用いて入力し、前記送信ボタン１２６を選択する（図２−Ｓ８）ことによって、その入力内容に係る情報は利用者情報の一部（利用者登録情報）としてサーバ１に送信される。そしてこの利用者登録情報は、データベース２内の利用者情報に蓄積される（図２−Ｓ９）。
【０１４０】
その後、利用者登録後にプレイを開始するか否かを問う画面が表示され（図２−Ｓ１０）、プレイを開始する場合（図２−Ｓ１１−Ｙｅｓ）には以下に説明する「プレイ開始」ボタン１１２を選択した場合と同様のプロセスが行われ、プレイを開始しない場合（図２−Ｓ１１−Ｎｏ）には、図８（ｃ）に示すような終了画面１４０が利用者端末Ａの表示画面に表示される。この終了画面１４０には、「ポイント間の所要時間」項目１４１、「本日の得点」項目１４２、「本日のボーナス」項目１４３及び「現在の得点合計」項目１４４といった前記データベース２に蓄積される利用者情報及び利用者履歴情報が表示される。
【０１４１】
ここで、前記「ボーナス」や「得点」は、利用者が提供された目的地に到達した場合に利用者に対して与えられるインセンティヴであり、目的地の態様（例えば店舗等）にあわせて適宜用途が設定される。
【０１４２】
一方、図７（ｂ）に示す参加申込画面１１０の「プレイ開始」ボタン１１２を利用者が選択した場合（図２―Ｓ６−プレイ開始）には、図８（ａ）に示すコースプランニング画面１３０が表示される（図３−Ｓ１３）。このコースプランニング画面１３０には、「現在の天気」コンボボックス１３１、目的地を設定する「カテゴリ」コンボボックス１３２、「コースの決め方」コンボボックス１３３、ゴール（終点）の条件として以下「ゴール」コンボボックス１３４、「目標地域」コンボボックス１３５、「終了日時」コンボボックス１３６、「クリア数」コンボボックス１３７及び「送信」ボタン１３８が表示される。
【０１４３】
この「コースプランニング」画面１３０の各コンボボックスを利用者が入力手段を用いて選択し、「送信」ボタン１３８を選択することにより、目的地設定のための条件に係る情報がサーバ１に送信され（図３−Ｓ１４）、図９（ａ）に示すような利用者に提供する目的地を示す「チェックポイント情報」画面１５０が表示される（図３−Ｓ１６）。この「チェックポイント情報」画面１５０には、目的地の名称を示す項目１５１、その目的地に到達するヒントを示す項目１５２及び利用者が目的地に到達した場合にサーバ１にその旨を送信する契機となる項目１５３が表示され、この項目１５３は、主に利用者が真に目的地に到達したか否かを判断する画面を表示するＵＲＬ等が表示される。
【０１４４】
ここで、利用者に予め目的地の目処がついている場合には、前記「コースの決め方」コンボボックス１３３において、「自分で決める」を選択する。これを選択することにより、図８（ｂ）に示すような「コース選択」画面１９０が利用者端末Ａの表示画面に表示される。この「コース選択」画面１９０には、利用者の現在地に基づいて候補となりうる施設等を列挙し、選択可能とした項目１９１と、係る項目１９１に挙げられた施設等を目的地として利用者が決定する場合に選択する「送信」ボタン１９２とからなる。
【０１４５】
利用者が利用者端末Ａの入力手段を用いて前記項目１９１から目的地を選択し、「送信」ボタン１９２を選択する（図４−Ｓ３３−Ｙｅｓ）と、その選択された内容に係る情報がサーバ１に送信され、その情報に基づきサーバ１内の目的地設定手段１３が目的地を設定し、前記「チェックポイント情報」画面１５０に当該目的地に関する情報を表示する。
【０１４６】
利用者が目的地に到達すると、前記チェックポイント情報画面１５０に表示された項目１５３を利用者が利用者端末Ａの入力手段を用いて選択する（図３−Ｓ１７）と、図９（ｂ）に示す判定画面である「キーワード入力」画面１６０が表示される。この「キーワード入力」画面１６０には、目的地を特定できる問題（目的地情報における「出題方法」情報）を示す項目１６１と、その答えを利用者が利用者端末Ａの入力手段を用いて入力する項目１６２と、「送信」ボタン１６３とが表示され、利用者が前記項目１６２を入力し、「送信」ボタン１６３を選択することによって、その情報がサーバ１に送信される。送信された情報は、前記判定手段１４によって図６（ａ）に示す利用者履歴情報における目的地情報の内容と照合、判定され（図３−Ｓ１８）る。
【０１４７】
尚、利用者が提供された目的地に到達したか否かを判定する方法については、このようなキーワード入力の他にＧＰＳ等を用いて自動的に判定する手段を用いた画面を用意してもよい。
【０１４８】
その送信された情報が正解であり、利用者が真に目的地に到達したと見なされた場合には、図１０（ａ）に示す正解画面１７０を表示する。この正解画面１７０には、ポイント等インセンティヴを表示する項目１７１が表示され、第２の目的地以降を提供する過程においては、プレイを続行するか否かを問う「続ける」ボタン１７２及び「やめる」ボタン１７３も同画面に表示される（図３−Ｓ２３）。
【０１４９】
ここで、「続ける」ボタン１７２を利用者が選択した場合（図３−Ｓ２５〜Ｓ２６）には、再び前述の目的地設定画面１３０又はサーバ１が前回と同じ条件で検索して設定した目的地情報を示す「チェックポイント情報」画面１５０を示してプレイを続行する（図３−Ｓ２７−継続）。
【０１５０】
また、前記正解画面１７０の「やめる」ボタン１７３を選択した場合には、前述の図８（ｃ）に示すような終了画面１４０が利用者端末Ａの表示画面に表示される。この終了画面１４０には、「ポイント間の所要時間」項目１４１、「本日の得点」項目１４２、「本日のボーナス」項目１４３及び「本日の得点合計」項目１４４といった前記データベース２に蓄積される利用者情報及び利用者履歴情報が表示されて終了する。
【０１５１】
さらに、図９（ｂ）に示す判定画面である「キーワード入力」画面１６０の項目１６２に入力した情報が誤りであると判定手段１４が判定した場合（図３−Ｓ１８−Ｎｏ）、図１０（ｂ）に示すような不正解を表す画面１８０を利用者端末Ａの表示画面に表示する。この画面１８０には、不正解である旨を示す項目１８１と、「続ける」ボタン１８２及び「やめる」ボタン１８３とが表示される。利用者が「続ける」ボタン１８２を選択した場合には、再び目的地情報を利用者端末Ａに送信するなどして項目１６２が正解と判定されるまで判定を繰り返す。また、利用者が「やめる」ボタン１８２を選択した場合には、前述の図８（ｃ）に示すような終了画面１４０が利用者端末Ａの表示画面に表示される。この終了画面１４０には、「ポイント間の所要時間」項目１４１、「本日の得点」項目１４２、「本日のボーナス」項目１４３及び「本日の得点合計」項目１４４といった前記データベース２に蓄積される利用者情報及び利用者履歴情報が表示されて終了する。
【０１５２】
次に、本発明の実施形態における前記割り込み手段によるプロセスについて図面を参照して以下に説明する。
図１１は、前記割り込み手段１８が利用者端末Ａに対して送信する情報、すなわち、割り込み手段１８が作用した場合における利用者端末Ａの表示内容を示す図である。
【０１５３】
図１１に示すように、前記割り込み手段１８が作用すると、利用者に提供した目的地に関わりなく、時間や利用者の現在地に基づいた利用者にとって有効であると考えられる情報を表示する画面２００が利用者端末Ａの表示画面に表示される。
【０１５４】
この画面２００には、利用者にとって有効であると考えられる情報、例えば昼食時の情報を示す項目２０１と、それを行うか否かを問う「続ける」ボタン２０２及び「やめる」ボタン２０３とが表示される。利用者が利用者端末Ａの入力手段を用いて前記「続ける」ボタン２０２を選択した場合、前述の目的地情報を表示する画面１５０にように割り込まれる目的地が表示され、通常の目的地の情報を提供する場合と同様に利用者を誘導する。また、利用者が利用者端末Ａの入力手段を用いて前記「やめる」ボタン２０３を選択した場合、本来設定されている目的地（利用者が向かっているチェックポイント）に利用者を誘導する。
【０１５５】
次に、本発明の実施形態において目的地情報をサーバ１（詳しくはデータベース２内に蓄積される目的地情報）が得るための複数の目的地提供者（目的地提供者端末Ｂ）とサーバ１との間のやりとりについて図面を参照して以下に説明する。
【０１５６】
ここで、前述したように、目的地提供者端末Ｂは、必ずしもネットワーク３に接続されている必要はない。すなわち、目的地提供者端末Ｂによる目的地情報の提供をサーバ１が受ける場合には、本発明に係る目的地情報提供システムに目的地提供者端末Ｂが接続されているか否かに関わらず目的地情報の授受が行われるべきである。従って、目的地情報の授受は、前記ネットワークとは別のネットワークを用いたり、ファクシミリなど異なる通信手段で行われてもよい。
【０１５７】
図１２は、サーバ１が目的地提供者端末Ｂに対して送信する情報、すなわち、サーバ１が利用者端末Ａに対して設定する際に予め用意される目的地に関する情報を得るプロセスが行われるときの目的地提供者端末Ｂの表示内容を示す図である。以下、前述した本発明に係る目的地情報提供方法におけるシーケンス図（図２）及び図５と併せて説明する。
【０１５８】
図１２（ａ）に示すように、目的地提供者端末Ｂがインターネット等のネットワークを介してサーバ１にアクセスすると、目的地に関する情報の提供を促す画面３００が表示される。この画面３００には、目的地提供者に当該目的地の提供を促す項目３０１と、それを容認する場合に選択するボタン３０２が表示される。
【０１５９】
このボタン３０２を目的地提供者が目的地提供者端末Ｂの入力手段を用いて選択すると、図１２（ｂ）に示すような目的地を登録する画面である「チェックポイント登録」画面３１０が表示される。
【０１６０】
この「チェックポイント登録」画面３１０には、店舗名等を入力する「チェックポイント名」項目３１１、所在地を入力する「住所」項目３１２、電話番号等の連絡先を入力する「電話番号」項目３１３、利用者を受け入れる場合の有効時間帯を入力する「営業時間」項目３１４及びこれらの項目を入力した後に当該情報をサーバ１に送信するための「申込」ボタン３１５が表示される。
【０１６１】
このように表示された各項目に目的地提供者が目的地提供者端末Ｂを用いて入力することにより、図５（ａ）に示す目的地情報が作成される。例えば、前記「チェックポイント名」項目３１１に入力した内容は、「目的地名称」に格納され、前記「住所」項目３１２、電話番号等の連絡先を入力する「電話番号」項目３１３、利用者を受け入れる場合の有効時間帯を入力する「営業時間」項目３１４に入力した内容はそれぞれ、「住所」、「電話番号」及び「営業時間」といった目的地情報における「提供者の詳細情報」に対応する項目に格納される。
【０１６２】
以上の入力項目を目的地提供者が目的地提供者端末Ｂの入力手段を用いて入力し、「申込」ボタン２１５を選択することによって、入力された情報はサーバ１に送信される（図２−Ｓ１）。送信された情報は、サーバ１がデータベース２内の目的地情報として蓄積し（図２−Ｓ１ａ）、蓄積した旨をサーバ１が目的地提供者端末Ｂに送信する（図２−Ｓ１ｂ）ことで、目的地提供者は自身の店舗等が目的地としてサーバ１（詳しくはデータベース２）に登録されたことを確認する。
【０１６３】
尚、本発明における目的地提供者が提供する目的地は、目的地提供者の保有する店舗等でなくてもよい。すなわち、本発明の実施形態が所謂オリエンテーリングにも適用できるように、目的地が公共の施設であってもよい。
【０１６４】
本発明に係る目的地情報提供プログラムは、以上に説明した目的地情報提供方法のプロセスがプログラムとして構成されたものであり、その実施の形態は前述の目的地情報提供方法と同様である。
【０１６５】
また、本発明に係る目的地情報提供プログラムを記録したコンピュータ読み取り可能な記録媒体は、以上に説明した目的地情報提供方法のプロセスがプログラムとして構成されたものを記録媒体に記録し、その記録媒体の内容をコンピュータに読みとらせ、実行させるものである。従って、その実施の形態は前述の目的地情報提供方法と同様である。
【０１６６】
【発明の効果】
以上、説明したように、本発明記載の請求項１，９，１７，２５及び３３によれば、移動体通信端末を用いて行うオリエンテーリングのように主催者側の意図に制限されることなく、利用者をそれぞれの要望に基づいた目的地に擬似的なオリエンテーリングといった態様で連続的かつ効率的に目的地に誘導することができる。
【０１６７】
また、本発明記載の請求項２，１０，１８，２６及び３４によれば、前記目的地情報を提供する複数の目的地提供者が用いる目的地提供者端末が前記ネットワークに接続され、前記通信手段は前記目的地情報提供サーバとの前記目的地情報の送受信が可能とされたので、サーバを管理する主催者が目的地情報を更新する手間を省き、人的費用的負担を軽減することができる。また、目的地提供者は、任意に自己の目的地情報を登録、更新することができるので、参加意識が高まり、目的地提供者の参加が増大する。従って、目的地提供者の参加増大に伴って利用者が当該目的地に訪れる機会を増やし、結果としてその目的地周辺の地域活性化につながる。
【０１６８】
また、本発明記載の請求項３，１１，１９，２７及び３５によれば、前記目的地情報、前記利用者履歴情報及び前記利用者の個別情報に基づき利用者の属性と利用者の動向とを関連づけた分析情報を作成すると共に、前記通信手段を介して前記目的地提供者端末に送信する分析手段を設けたので、利用者の年齢層、性別、利用地域及び好み（嗜好性）等を把握できる。すなわち、目的地提供者は、利用者の嗜好性等を単にアンケートして自己の営業計画や販売計画等を立てるよりも実質的な分析結果を得ることができる。
【０１６９】
また、本発明記載の請求項４，１２，２０，２８及び３６によれば、基点を利用者（端末）の現在地に設定したので、従来のオリエンテーリングにみられるように予め設定された基点に利用者を集結させることないため、利用者の参加意思を向上させることができる。また、移動体通信端末を用いる利用者の現在地を基点とすることによって、フレキシブルにかつ効率的に目的地に関する情報を利用者に提供することができるので、利用者に参加意思向上に伴い各目的地が所在する地域の活性化に役立てることができる。
【０１７０】
また、本発明記載の請求項５，１３，２１，２９及び３７によれば、中間地点を設定したので、利用者が求める目的地につき設定操作を要さないので、利用者に利便性を与える。
【０１７１】
また、本発明記載の請求項６，１４，２２，３０及び３８によれば、振り分け手段を設けたので、各目的地における利用者の分布を制御し、利用者に複数の目的地をスムーズに辿らせることができるだけでなく、各目的地の混雑も防ぐことができる。従って、利用者の参加意思を高め、結果として目的地が存する地域の活性化に役立てることができる。
【０１７２】
さらに、本発明記載の請求項７，１５，２３，３１及び３９によれば、集計手段を設けたので、インセンティヴの設定に応じて利用者の参加意思を向上させる余地ができ、結果として目的地が所在する地域の活性化に役立てることができる。
【０１７３】
加えて、本発明記載の請求項８，１６，２４，３２及び４０によれば、割り込み手段を設けたので、利用者は自らが望む目的地に限定されることなく、幅広い情報を得られるので、その多くの参加意思が向上し、結果として目的地が所在する地域の活性化に役立てることができる。
【図面の簡単な説明】
【図１】本発明に係る目的地情報提供システムの実施形態における構成を示すブロック図である。
【図２】本発明に係る目的地情報提供方法の実施形態においてサーバと利用者端末との間で行われる動作を示すシーケンス図である。
【図３】本発明に係る目的地情報提供方法の実施形態においてサーバと利用者端末との間で行われる動作を示すシーケンス図である。
【図４】本発明に係る目的地情報提供方法の実施形態における目的地設定の動作を示すフローチャートである。
【図５】本発明の実施形態における目的地データベース及び利用者情報データベースの構成を示す図である。
【図６】本発明の実施形態における利用者履歴情報データベース、到達時間データベース及びイベントデータベースの構成を示す図である。
【図７】本発明の実施形態における利用者端末の画面上に表示される内容を示す図である。
【図８】本発明の実施形態における利用者端末の画面上に表示される内容を示す図である。
【図９】本発明の実施形態における利用者端末の画面上に表示される内容を示す図である。
【図１０】本発明の実施形態における利用者端末の画面上に表示される内容を示す図である。
【図１１】本発明の実施形態における利用者端末の画面上に表示される内容を示す図である。
【図１２】本発明の実施形態における利用者端末の画面上に表示される内容を示す図である。
【符号の説明】
１  サーバ
２  データベース
３  ネットワーク
１０  通信手段
１１  表示情報出力手段
１２  位置抽出手段
１３  目的地設定手段
１４  判定手段
１５  更新手段
１６  振り分け手段
１７  集計手段
１８  割り込み手段
１９  分析手段
【図１】
2004185234.tif 000003
【図２】
2004185234.tif 000004
【図３】
2004185234.tif 000005
【図４】
2004185234.tif 000006
【図５】
2004185234.tif 000007
【図６】
2004185234.tif 000008
【図７】
2004185234.tif 000009
【図８】
2004185234.tif 000010
【図９】
2004185234.tif 000011
【図１０】
2004185234.tif 000012
【図１１】
2004185234.tif 000013
【図１２】
2004185234.tif 000014